(57)【要約】本発明は、構造物の維持管理を支援するために経時的に進行する損傷の状態を適切に把握し、損傷状態の進行の予測を可能にする情報処理装置及び情報処理方法を提供することを目的とする。本発明の情報処理装置の一態様であるコンピュータ装置（１０）は、点検対象構造物の画像から抽出された損傷をベクトル化したベクトルを含む損傷情報を生成する損傷情報生成部（１２２）と、モデル構造物の損傷状態と損傷度との対応関係を示す進行モデルに基づいて点検対象構造物の損傷情報のうち少なくともベクトルを解析して、点検対象構造物の損傷状態に対応する点検対象構造物の損傷度を取得する損傷解析部（１２４）と、点検対象構造物の点検時期が異なる複数の画像を元にそれぞれ取得された複数の損傷度を比較して、点検対象構造物の損傷進行速度を取得する損傷進行速度取得部（１３０）を備える。
2017110278.tif 000002
【特許請求の範囲】
【請求項１】
点検対象構造物の画像から損傷を抽出する損傷抽出部と、
前記損傷をベクトル化したベクトルを含む損傷情報を生成する損傷情報生成部と、
モデル構造物の損傷状態と損傷進行程度の評価区分である損傷度との対応関係を示す進行モデルを取得する進行モデル取得部と、
前記進行モデルに基づいて前記点検対象構造物の前記損傷情報のうち少なくとも前記ベクトルを解析して、前記点検対象構造物の損傷状態に対応する前記点検対象構造物の損傷度を取得する損傷解析部と、
前記点検対象構造物の前記損傷度をデータベースに記憶させるデータベース制御部と、
前記点検対象構造物の点検時期が異なる複数の前記画像を元にそれぞれ取得された複数の前記損傷度を比較して、前記点検対象構造物の損傷進行速度を取得する損傷進行速度取得部と、
を備える情報処理装置。
【請求項２】
損傷進行に影響する損傷進行パラメータと、前記点検対象構造物とは別の構造物の点検結果情報とを関連付けて記憶した前記データベースから、前記損傷進行パラメータが前記点検対象構造物と同一又は類似する前記別の構造物の点検結果情報を検索する第１の検索部と、
検索された前記別の構造物の点検結果情報を用いて、前記点検対象構造物の損傷進行パラメータに対応する前記進行モデルを生成する進行モデル生成部と、
を備える請求項１に記載の情報処理装置。
【請求項３】
前記点検対象構造物の前記損傷進行パラメータは、前記点検対象構造物の自然環境に関する自然環境情報、前記点検対象構造物の利用状況に関する利用状況情報、前記点検対象構造物の構造に関する構造情報、前記点検対象構造物の材料に関する材料情報、前記点検対象構造物に付与された薬剤に関する薬剤情報、及び前記点検対象構造物の補修実績と補強実績に関する維持管理実績情報のうち少なくとも一つを含む、
請求項２に記載の情報処理装置。
【請求項４】
前記データベース制御部は、前記損傷進行速度を前記損傷情報及び前記損傷度と関連付けて前記データベースに記憶させる、
請求項１から３のうちいずれか一項に記載の情報処理装置。
【請求項５】
前記点検対象構造物の損傷情報に類似する他の損傷情報である類似損傷情報を前記データベースから検索する第２の検索部を備え、
前記損傷進行速度取得部は、前記データベースで前記類似損傷情報に関連付けて記憶された前記損傷進行速度を用いて、前記点検対象構造物の損傷進行速度を推定する、
請求項１から４のうちいずれか一項に記載の情報処理装置。
【請求項６】
前記損傷進行速度取得部は、前記点検対象構造物の最新の点検時期よりも過去の時期での前記点検対象構造物の前記損傷度が前記データベースに無い場合、前記データベースで前記類似損傷情報に関連付けられた前記損傷進行速度及び前記損傷度のうち少なくとも一方を用いて、前記点検対象構造物の最新の点検時期又は当該最新の点検時期よりも過去の時期での前記点検対象構造物の損傷進行速度を推定する、
請求項５に記載の情報処理装置。
【請求項７】
前記損傷情報生成部は、前記ベクトルの階層構造に関する階層構造情報、及び前記点検対象構造物と前記ベクトルとの方向に関する相対方向情報のうち少なくとも一つを含む前記損傷情報を生成する、
請求項１から６のうちいずれか一項に記載の情報処理装置。
【請求項８】
前記損傷情報生成部は、一の損傷ベクトルが属するベクトルグループの情報と、前記一の損傷ベクトルと連結する他の損傷ベクトルの情報と、前記一の損傷ベクトルの固有情報と、を含む前記階層構造情報を生成する、
請求項７に記載の情報処理装置。
【請求項９】
前記損傷情報生成部は、空間的に分離した複数のベクトルを連結させて１つのベクトルを生成する、
請求項１から８のうちいずれか一項に記載の情報処理装置。
【請求項１０】
点検時期が異なる複数の前記画像及び当該複数の画像から生成される前記ベクトルのうち少なくとも一方に対して補正を行うことにより、前記複数の画像からそれぞれ生成された前記ベクトルの座標位置及び方向の対応付けを行う補正部を備える、
請求項１から９のうちいずれか一項に記載の情報処理装置。
【請求項１１】
前記損傷解析部は、前記点検対象構造物の自然環境に関する自然環境情報、前記点検対象構造物の利用状況に関する利用状況情報、前記点検対象構造物の構造に関する構造情報、及び、前記点検対象構造物に付与された薬剤に関する薬剤情報、及び前記点検対象構造物の補修と補強に関する維持管理実績情報のうち少なくとも一つに基づいて前記損傷情報を解析することにより前記損傷度を取得する、
請求項１から１０のうちいずれか一項に記載の情報処理装置。
【請求項１２】
前記点検対象構造物の前記損傷情報のうち少なくとも前記ベクトルに基づいて、前記進行モデルの前記損傷状態及び前記損傷度を細分化する進行モデル細分化部を備える、
請求項１から１１のうちいずれか一項に記載の情報処理装置。
【請求項１３】
前記進行モデルは、前記モデル構造物の損傷状態のうち少なくとも一部がベクトルで表されたモデル損傷情報と前記損傷度との対応関係を示す、
請求項１から１２のうちいずれか一項に記載の情報処理装置。
【請求項１４】
前記点検対象構造物の損傷情報に基づいて取得された前記損傷度及び前記損傷進行速度に基づいて、前記点検対象構造物の損傷に対する対策を判定する対策判定部を備える、
請求項１から１３のうちいずれか一項に記載の情報処理装置。
【請求項１５】
少なくとも前記損傷進行速度と前記対策とに基づいて、前記点検対象構造物の補修及び補強のうち少なくとも一方を含む維持管理の計画情報を生成する維持管理計画部を備える、
請求項１４に記載の情報処理装置。
【請求項１６】
点検対象構造物の画像から損傷を抽出する工程と、
前記損傷をベクトル化したベクトルを含む損傷情報を生成する工程と、
モデル構造物の損傷状態と損傷進行程度の評価区分である損傷度との対応関係を示す進行モデルを取得する工程と、
前記進行モデルに基づいて前記点検対象構造物の前記損傷情報のうち少なくとも前記ベクトルを解析して、前記点検対象構造物の損傷状態に対応する前記点検対象構造物の損傷度を取得する工程と、
前記点検対象構造物の点検時期が異なる複数の前記画像を元にそれぞれ取得された複数の前記損傷度を比較して、前記点検対象構造物の損傷進行速度を取得する工程と、
を含む情報処理方法。
【発明の詳細な説明】
【技術分野】
【０００１】
本発明は、点検対象の構造物の画像を元に生成した損傷情報を解析して損傷の進行速度を取得する情報処理を行う情報処理装置及び情報処理方法に関する。
【背景技術】
【０００２】
社会的なインフラストラクチャーとして、橋梁、道路、トンネル、ダム、ビル等、各種の構造物が存在する。これらの構造物には損傷が発生し、その損傷は時間の経過と共に進行する性質を持つため、所定の頻度で構造物の点検を行うことが求められている。例えば、道路橋の場合、五年に一回の頻度で定期点検を行うことが義務付けられている。国土交通省の道路局から公開された橋梁定期点検要領には、標準的な維持管理フローとして、点検計画、近接目視点検、損傷状態の把握、対策区分の判定、健全性の診断、補修等の維持管理計画という順で、道路橋の定期点検に関する業務を行うことが示されている。【０００３】
近年、コンピュータ装置により構造物維持管理の支援が行われるようになってきた。【０００４】
特許文献１には、点検員により目視点検が行われ且つ橋梁の部位ごとに損傷の判定区分の評価が行われると、コンピュータ装置により経過年数に対する判定区分の変化（劣化度）を示す劣化曲線を算出することが記載されている。特許文献１には、点検員による損傷の判定区分の例として、ＯＫ：「点検の結果から、損傷は認められない。」、 Ｉ：「損傷が認められ、その程度を記録する必要がある。」、ＩＩ：「損傷が認められ、追跡調査を行う必要がある。」、ＩＩＩ：「損傷が大きく、詳細点検を実施し補修の要否の検討を行う必要がある。」、ＩＶ：「損傷が著しく、交通安全保障の支障となるおそれがある。」の五段階が記載されている。【０００５】
特許文献２には、コンピュータ装置を用いて構造物の撮影画像に対して画像処理を行うことにより、コンクリート構造物に発生したひび割れを線分の集合とみなし、線分の端点を座標としてテキストデータで記録し、ひび割れの計測情報を時系列に沿って解析することで、コンクリート構造物のライフサイクルコストを算出することが記載されている。ひび割れの計測情報として、ひび割れの位置、長さ、及び幅を用いている。【０００６】
特許文献３には、コンピュータ装置により、トンネル内壁の撮影画像からひび割れを抽出し、今回の撮影画像と前回の撮影画像又は基準画像との相違点を抽出し、かつベクトル化処理を実行することによりひび割れの面積、長さ、曲率等を数値化してグラフ化することで、ひび割れの進展具合を判断することが記載されている。【０００７】
特許文献４は、空中移動機器から橋梁を撮影し、コンピュータ装置により、撮影データとデータベースに蓄積された五段階の劣化傾向データとを比較して、橋梁が如何なる劣化レベルに該当するのかを判断することを開示している。特許文献４には、劣化傾向データの例として、潜伏期：「橋軸直角方向ひび割れを示す画像」、進展期：「直交方向ひび割れを示す画像」、加速期前期：「亀甲状ひび割れを示す画像」、加速期後期：「角落ち及びひび割れのスリットを示す画像」、劣化期：「抜け落ちを示す画像」が記載されている。【０００８】
特許文献５は、コンピュータ装置により、鉄筋腐食メカニズムが表現されたモデルを用い、所定のランクの鉄筋の腐食状態となる確率である鉄筋腐食確率を予測することを開示している。
【先行技術文献】
【特許文献】
【０００９】
【特許文献１】特開２００８−２９１４４０号公報
【特許文献２】特開２０１５−１３８４６７号公報
【特許文献３】特開２００９−１３３０８５号公報
【特許文献４】特開２０１５−３４４２８号公報
【特許文献５】特開２００５−１７１５７号公報
【発明の概要】
【発明が解決しようとする課題】
【００１０】
社会的なインフラストラクチャーである構造物の点検は、構造物又は点検に関して専門知識及び実務経験を持つ技術者により行うことが求められる。例えば、道路橋の場合、「道路橋に関する相応の資格又は相当の実務経験」、「道路橋の設計、施工、管理に関する相当の専門知識」、及び「道路橋の点検に関する相当の技術と実務経験」のうちいずれかを持つ技術者により点検することが求められている。【００１１】
その一方で、長年に亘り構造物が建造され続けた結果、大量の構造物の老朽化と熟練した技術者の不足が問題になっている。つまり、点検対象の構造物の数に対して、熟練した技術者の数が不足している。従って、現実的には、「豊富な専門知識及び長年の実務経験を持つ」熟練した技術者とまでは言えなくても、構造物の点検に必要な相応の専門知識及び実務経験を持つ技術者であれば誰でも、熟練した技術者と同様に適切に損傷状態を把握でき且つ適切に報告できることが求められる。【００１２】
また、構造物の材料及び構造の多様化に因り、多種の構造物が建造されてきている。長い実務経験を持つ技術者であっても、その技術者が知らない未知の損傷進行メカニズムがある場合、その未知の損傷進行メカニズムに従って進行した損傷を適切に評価することは、難しい。しかしながら、その損傷進行メカニズムを既知の技術者が点検した場合と同様に適切に損傷状態の把握及び報告を行うことが求められている。【００１３】
特許文献１に記載された技術では、点検員により五段階の判定区分が評価されるので、実際には同程度の損傷状態であっても、熟練者の判定と非熟練者の判定とで判定区分が異なる可能性がある。また、点検員にとって未知のメカニズムに従って進行した損傷である場合、実際には重度の状況であっても軽度であると評価される可能性がある。損傷の評価が不適切である場合には、不適切な劣化曲線が算出されてしまう。【００１４】
特許文献２に記載された技術では、ひび割れの計測情報（位置、長さ、幅など）を時系列に沿って解析することで構造物のライフサイクルコストを算出しており、損傷進行のメカニズムを示す情報を用いていない。つまり、損傷進行メカニズムを示す情報を未使用なので、計測情報が正しくても損傷状態の把握が不適切になる可能性がある。例えば、ひび割れは幅が小さくても看過できない重要なひび割れである場合がある。しかしながら、ひび割れの位置、長さ及び幅を含む計測情報の全てを具体的にどのように扱って評価すればよいのか技術者が知識及び経験を持たない場合、例えば「幅」の大小だけで損傷が評価されると、重要なひび割れが看過されることになる。【００１５】
特許文献３に記載された技術では、ひび割れの計測情報（面積、長さ、曲率など）を時系列に沿って解析することでひび割れの進展具合を判断しているが、損傷進行メカニズムを示す情報を用いていない。つまり、損傷進行メカニズムを示す情報を未使用なので、計測情報が正しくても損傷の評価が不適切になる可能性がある。【００１６】
また、構造物の損傷は時間の経過と共に進行していくが、定期点検の間隔が長くなると、損傷の性状によっては適切な損傷評価結果を得られない場合がある。【００１７】
特許文献４に記載された技術では、橋梁の撮影データと五段階の劣化傾向データとを比較して橋梁が如何なる劣化レベルに該当するのかを判断しているが、損傷のベクトルで比較を行っていない。つまり、撮影画像と比較可能な画像（ラスタデータである）を劣化傾向データとして用いているにすぎず、ベクトルを用いて損傷評価を行わないので、劣化レベルの評価の精度には限度がある。【００１８】
特許文献５に記載された技術では、鉄筋腐食メカニズムが表現されたモデルを用いて鉄筋腐食確率を予測しているが、ベクトルを用いて損傷評価を行わなければ鉄筋腐食確率の予測精度に限度がある。【００１９】
以上のように、構造物の損傷は時間の経過と共に進行する性質があり、且つその損傷に特有の損傷進行メカニズムに従って進行するが、ベクトルを用いた損傷解析と損傷進行のメカニズムを示す情報に基づく損傷解析とを有意義に結合した情報処理が行われていないため、非熟練者による点検、又は点検員にとって未知のメカニズムで進行する損傷に関する点検が行われる場合には、不適切な損傷状態の把握が行われる可能性があった。【００２０】
本発明はこのような事情に鑑みてなされたもので、構造物の維持管理を支援するために経時的に進行する損傷の状態を適切に把握し、損傷状態の進行の予測を可能にする情報処理装置及び情報処理方法を提供することを目的とする。
【課題を解決するための手段】
【００２１】
上述した目的を達成するため、本発明の第１の態様に係る情報処理装置は、点検対象構造物の画像から損傷を抽出する損傷抽出部と、損傷をベクトル化したベクトルを含む損傷情報を生成する損傷情報生成部と、モデル構造物の損傷状態と損傷進行程度の評価区分である損傷度との対応関係を示す進行モデルを取得する進行モデル取得部と、進行モデルに基づいて点検対象構造物の損傷情報のうち少なくともベクトルを解析して、点検対象構造物の損傷状態に対応する点検対象構造物の損傷度を取得する損傷解析部と、点検対象構造物の少なくとも損傷度をデータベースに記憶させるデータベース制御部と、点検対象構造物の点検時期が異なる複数の画像を元にそれぞれ取得された複数の損傷度を比較して、点検対象構造物の損傷進行速度を取得する損傷進行速度取得部と、を備える。【００２２】
本態様によれば、点検対象構造物の画像から抽出された損傷がベクトル化され、且つ損傷状態と損傷進行程度の評価区分である損傷度との対応関係を示す進行モデルに基づいて、損傷情報に含まれるベクトルが解析されて点検対象構造物の損傷度が取得され、点検対象構造物の点検時期が異なる複数の画像を元にそれぞれ取得された複数の損傷度に基づいて損傷進行速度が取得されるので、点検員が熟練者であるか非熟練者であるかに依らず、且つ点検員が損傷進行のメカニズムを既知であるか未知であるかに依らず、経時的に進行する損傷に応じた的確な損傷進行速度が取得されることになり、損傷状態を適切に把握し、損傷状態の進行の予測を可能にする。【００２３】
本発明の第２の態様に係る情報処理装置は、損傷進行に影響する損傷進行パラメータと、点検対象構造物とは別の構造物の点検結果情報とを関連付けて記憶したデータベースから、損傷進行パラメータが点検対象構造物と同一又は類似する別の構造物の点検結果情報を検索する第１の検索部と、検索された別の構造物の点検結果情報を用いて、点検対象構造物の損傷進行パラメータに対応する進行モデルを生成する進行モデル生成部と、を備える。本態様によれば、損傷進行パラメータが点検対象構造物と同一又は類似する別の構造物の点検結果情報が検索されて進行モデルが生成されるので、データベースに未記憶の進行モデル（未知の損傷進行メカニズムを示す進行モデルを含む）に基づいて、損傷度及び損傷進行速度を得ることが可能となる。【００２４】
本発明の第３の態様に係る情報処理装置において、点検対象構造物の損傷進行パラメータは、点検対象構造物の自然環境に関する自然環境情報、点検対象構造物の利用状況に関する利用状況情報、点検対象構造物の構造に関する構造情報、点検対象構造物の材料に関する材料情報、及び、点検対象構造物に付与された薬剤に関する薬剤情報、及び点検対象構造物の補修実績と補強実績に関する維持管理実績情報のうち少なくとも一つを含む。【００２５】
本発明の第４の態様に係る情報処理装置において、データベース制御部は、損傷進行速度を損傷情報及び損傷度と関連付けてデータベースに記憶させる。本態様によれば、互いに関連付けられた損傷進行速度、損傷情報及び損傷度の利用が可能になる。【００２６】
本発明の第５の態様に係る情報処理装置において、点検対象構造物の損傷情報に類似する他の損傷情報である類似損傷情報をデータベースから検索する第２の検索部を備え、損傷進行速度取得部は、データベースで類似損傷情報に関連付けて記憶された損傷進行速度を用いて、点検対象構造物の損傷進行速度を推定する。本態様によれば、類似損傷情報に関連付けられた損傷進行速度を用いて、点検対象構造物の未来の損傷進行速度を推定することが可能になる。【００２７】
本発明の第６の態様に係る情報処理装置において、損傷進行速度取得部は、点検対象構造物の最新の点検時期よりも過去の時期での点検対象構造物の損傷度がデータベースに無い場合、データベースで類似損傷情報に関連付けられた損傷進行速度及び損傷度のうち少なくとも一方を用いて、点検対象構造物の最新の点検時期又は当該最新の点検時期よりも過去の時期での点検対象構造物の損傷進行速度を推定する。本態様によれば、点検対象構造物の損傷度がデータベースに無い場合でも、類似損傷情報に関連付けられた損傷進行速度及び損傷度を利用することができる。【００２８】
本発明の第７の態様に係る情報処理装置において、損傷情報生成部は、ベクトルの階層構造に関する階層構造情報、及び点検対象構造物とベクトルとの方向に関する相対方向情報のうち少なくとも一つを含む損傷情報を生成する。【００２９】
本発明の第８の態様に係る情報処理装置において、損傷情報生成部は、一の損傷ベクトルが属するベクトルグループの情報と、一の損傷ベクトルと連結する他の損傷ベクトルの情報と、一の損傷ベクトルの固有情報と、を含む階層構造情報を生成する。【００３０】
本発明の第９の態様に係る情報処理装置において、損傷情報生成部は、空間的に分離した複数のベクトルを連結させて１つのベクトルを生成する。本態様によれば、本来一つの損傷として解析するべき損傷を分けて解析することが防止されるので、損傷状態を適切に把握することが可能となる。【００３１】
本発明の第１０の態様に係る情報処理装置において、点検時期が異なる複数の画像及び複数の画像から生成されるベクトルのうち少なくとも一方に対して補正を行うことにより、複数の画像からそれぞれ生成されたベクトルの座標位置及び方向の対応付けを行う補正部を備える。本態様によれば、点検時期が異なる画像間で撮影装置の撮影位置及び撮影方向が異なる場合でも損傷進行速度を精度良く取得することができる。【００３２】
本発明の第１１の態様に係る情報処理装置において、損傷解析部は、点検対象構造物の自然環境に関する自然環境情報、点検対象構造物の利用状況に関する利用状況情報、点検対象構造物の構造に関する構造情報、及び、点検対象構造物に付与された薬剤に関する薬剤情報、及び点検対象構造物の補修と補強に関する維持管理実績情報のうち少なくとも一つに基づいて損傷情報を解析することにより損傷度を取得する。【００３３】
本発明の第１２の態様に係る情報処理装置において、点検対象構造物の損傷情報のうち少なくともベクトルに基づいて、進行モデルの損傷状態及び損傷度を細分化する進行モデル細分化部を備える。本態様によれば、点検対象構造物の損傷情報のうち少なくともベクトルに基づいて進行モデルが細分化されるので、点検対象構造物での損傷進行メカニズムに対応して細分化された適切な進行モデルを取得することが可能になる。より好ましくは。階層構造情報にも基づいて進行モデルを細分化することが、好ましい。【００３４】
本発明の第１３の態様に係る情報処理装置において、進行モデルは、モデル構造物の損傷状態のうち少なくとも一部がベクトルで表されたモデル損傷情報と損傷度との対応関係を示す。本態様によれば、ベクトルで表されたモデル損傷情報を含む進行モデルに基づいて損傷度を容易且つ適切に取得することが可能になる。より好ましくは、モデル損傷情報が階層構造情報をも用いて表されていることが、好ましい。【００３５】
本発明の第１４の態様に係る情報処理装置において、点検対象構造物の損傷情報に基づいて取得された損傷度及び損傷進行速度に基づいて、点検対象構造物の損傷に対する対策を判定する対策判定部を備える。【００３６】
本発明の第１５の態様に係る情報処理装置において、少なくとも損傷進行速度と対策とに基づいて、点検対象構造物の補修及び補強のうち少なくとも一方を含む維持管理の計画情報を生成する維持管理計画部を備える。【００３７】
本発明の一の態様に係る情報処理方法は、点検対象構造物の画像から損傷を抽出する工程と、損傷をベクトル化したベクトルを含む損傷情報を生成する工程と、モデル構造物の損傷状態と損傷進行程度の評価区分である損傷度との対応関係を示す進行モデルを取得する工程と、進行モデルに基づいて点検対象構造物の損傷情報のうち少なくともベクトルを解析して、点検対象構造物の損傷状態に対応する点検対象構造物の損傷度を取得する工程と、点検対象構造物の点検時期が異なる複数の画像を元にそれぞれ取得された複数の損傷度を比較して、点検対象構造物の損傷進行速度を取得する工程と、を含む。
【発明の効果】
【００３８】
本発明よれば、構造物の維持管理を支援するために経時的に進行する損傷の状態を適切に把握し、損傷状態の進行の予測を可能にする。
【図面の簡単な説明】
【００３９】
【図１】図１は、構造物の例である橋梁の構造を示す斜視図である。
【図２】図２は、第１の実施形態の情報処理装置の一例であるコンピュータ装置を含む構造物維持管理システムの構成例を示すブロック図である。
【図３】図３は、損傷情報生成部の内部構成例を示すブロック図である。
【図４】図４は、進行モデルの一例を模式的に示す図である。
【図５】図５は、進行モデルの他の例を模式的に示す図である。
【図６】図６は、構造物の維持管理の一例の流れを示す概略フローチャートである。
【図７】図７は、損傷状態の把握における一例の処理の流れを示すフローチャートである。
【図８】図８は、損傷情報生成の詳細を示すフローチャートである。
【図９】図９は、損傷状態の把握における他の例の処理の流れを示すフローチャートである。
【図１０】図１０は、第２の実施形態におけるデータベースのデータ構成例の説明に用いる説明図である。
【図１１】図１１は、第２の実施形態の情報処理装置の一例であるコンピュータ装置を含む構造物維持管理システムの構成例を示すブロック図である。
【図１２】図１２は、第３の実施形態の情報処理装置の一例であるコンピュータ装置を含む構造物維持管理システムの構成例を示すブロック図である。
【図１３】図１３は、第３の実施形態における進行モデルの細分化の説明に用いる説明図である。
【図１４】図１４は、損傷進行速度の取得のバリエーションの説明に用いる説明図である。
【図１５】図１５は、曲線状の損傷を分割して複数の損傷ベクトルを生成する様子を示す図である。
【図１６】図１６は、損傷ベクトルの始点を決める様子を説明するための図である。
【図１７】図１７は、損傷ベクトルの始点を決める様子を説明するための他の図である。
【図１８】図１８は、分離した損傷ベクトルの連結を示す図である。
【図１９】図１９は、分離した損傷ベクトルの連結を示す他の図である。
【図２０】図２０は、階層構造情報に含まれる画像情報を示す表である。
【図２１】図２１は、階層構造情報に含まれる損傷ベクトルの情報の例（階層決定手法の例１に対応）を示す図である。
【図２２】図２２は、損傷ベクトルの階層決定手法の例１を説明するための図である。
【図２３】図２３は、損傷ベクトルの階層決定手法の例２を説明するための他の図である。
【図２４】図２４は、階層決定手法の例２に対応した階層構造情報の例を示す表である。
【図２５】図２５は、損傷ベクトルの階層決定手法の例３を説明するための図である。
【図２６】図２６は、損傷ベクトルの階層決定手法の例３を説明するための他の図であり、図２５よりも時間的に後に撮影した画像を示す図である。
【図２７】図２７は、損傷ベクトルの階層決定手法の例３を説明するためのさらに他の図であり、図２６よりも時間的に後に撮影した画像を示す図である。
【図２８】図２８は、階層決定手法の例３に対応した階層構造情報の例を示す表である。
【図２９】図２９は、損傷ベクトルの階層決定手法の例４を説明するための図である。
【図３０】図３０は、階層決定手法の例４に対応した階層構造情報の例を示す表である。
【発明を実施するための形態】
【００４０】
以下、添付図面に従って本発明を実施するための好ましい形態について詳説する。
【００４１】
＜点検対象構造物＞
図１は、本発明に係る情報処理装置及び情報処理方法が適用される点検対象の構造物の例である橋梁１の構造を示す斜視図である。図１に示す橋梁１（構造物）は主桁３を有し、主桁３は接合部３Ａで接合されている。主桁３は橋台または橋脚の間に渡され、床版２上の車輌の荷重を支える部材である。また主桁３の上部には、車輌が走行するための床版２が打設されている。床版２は一般的な鉄筋コンクリート製のものとする。なお橋梁１は、床版２及び主桁３の他に図示せぬ横桁、対傾構、及び横構等の部材を有する。
【００４２】
本発明が適用される点検対象の構造物（以下「点検対象構造物」という場合もある）は、本例では橋梁であるが、道路、トンネル、ダム、建築物など、橋梁とは種類が異なる他の構造物であってもよい。また、人工の構造物に限定されず、自然の構造物でもよい。
【００４３】
＜画像の取得＞
橋梁１を点検する場合、点検員は撮影装置２０（図２参照）を用いて橋梁１を下方から撮影し（図１のＣ方向）、点検範囲について撮影画像を取得する。撮影は、橋梁１の延在方向（図１のＡ方向）及びその直交方向（図１のＢ方向）に適宜移動しながら行う。なお橋梁１の周辺状況により点検員の移動が困難な場合は、橋梁１に沿って移動可能な移動体に撮影装置２０を設置して撮影を行ってもよい。このような移動体には、撮影装置２０の昇降機構及びパンチルト機構を設けてもよい。なお移動体の例としては車輌、ロボット、及びドローン（飛翔体）を挙げることができるが、これらに限定されるものではない。
【００４４】
［第１の実施形態］
図２は、本発明に係る情報処理装置の第１の実施形態の一例であるコンピュータ装置を含む構造物維持管理システムの構成例を示すブロック図である。
【００４５】
コンピュータ装置１０は、本発明に係る情報処理装置の一例であって、撮影装置２０（例えばデジタルカメラ）で構造物１を撮影して得られた撮影画像を取得し、この撮影画像に対して画像処理を行うことにより、構造物１の損傷の特徴量を示す損傷情報を生成する。
【００４６】
また、コンピュータ装置１０は、画像処理により得られた構造物１の損傷情報を解析して、構造物１の維持管理（「メンテナンス」ともいう）を支援するための各種の情報処理を行う。
【００４７】
例えば、コンピュータ装置１０は、構造物１の損傷情報を解析して損傷の進行速度（以下「損傷進行速度」という）を取得する情報処理を行う。つまり、コンピュータ装置１０は、構造物１の損傷進行速度を取得する進行速度取得機能を有する。
【００４８】
コンピュータ装置１０の例としてはパーソナルコンピュータ、タブレット端末、及びスマートフォンを挙げることができるが、これらの装置に限定されるものではない。サーバ装置によりコンピュータ装置１０を構成してもよい。また、複数の装置でコンピュータ装置１０を構成してもよい。
【００４９】
撮影装置２０は、撮影機能を有する。尚、撮影装置２０は、コンピュータ装置１０が移動端末である場合、その移動端末に内蔵されたデジタルカメラでもよい。例えば、タブレット端末又はスマートフォンに内蔵されたデジタルカメラでもよい。ロボット又はドローンに搭載されたデジタルカメラでもよい。
【００５０】
データベース３０は、構造物１の維持管理を支援するための各種の情報を記憶する。尚、データベース３０は、コンピュータ装置１０に内蔵されていてもよい。
【００５１】
コンピュータ装置１０は、コンピュータ装置１０の外部の装置又は記録媒体との間で各種情報の入力及び出力を行う外部入出力部１０２と、各種情報の表示を行う表示部１０４と、人の操作を受け付ける操作部１０６と、各種情報を記憶する記憶部１０８と、コンピュータ装置１０の全体を制御するＣＰＵ(Central Processing Unit）１１０と、を含んで構成される。
【００５２】
外部入出力部１０２は、有線通信又は無線通信の通信インタフェースと接触型又は非接触型の記録媒体インタフェースとを有する。
【００５３】
外部入出力部１０２は、撮影装置２０及びデータベース３０並びに記憶媒体から撮影画像を入力可能である。撮影画像は点検範囲に応じて複数入力され、また入力される撮影画像には、撮影装置２０により撮影日時の情報が付加されている。なお撮影日時は必ずしも同じ点検時期の全ての撮影画像において同一である必要はなく、複数日に亘っていてもよい。複数の撮影画像を一括して入力してもよいし、一度に１つの撮影画像を入力するようにしてもよい。なお、本発明において点検対象構造物の「画像」は、撮影装置２０により生成された状態の撮影画像でもよいし、撮影装置２０により生成された撮影画像に対して何らかの画像処理が施された後の画像でもよい。
【００５４】
また、外部入出力部１０２は、データベース３０に蓄積された各種情報をデータベース３０から入力可能であり、かつコンピュータ装置１０で生成された各種情報をデータベース３０に対して出力可能である。
【００５５】
表示部１０４は、液晶ディスプレイ（ＬＣＤ：Liquid Crystal Display）などの画像表示可能な表示デバイスによって構成されており、撮影画像、データベース３０から入力された各種情報、及びコンピュータ装置１０で生成された各種情報を表示する。
【００５６】
操作部１０６は、例えばタッチパネルなどのタッチ操作可能な操作デバイスによって構成されており、表示部１０４に表示された各種情報に対する人の操作を受け付ける。
【００５７】
記憶部１０８は、不揮発性の記憶デバイスを含んで構成されており、構造物の維持管理を支援するための各種プログラム、及び各種プログラムの実行に必要な各種情報を記憶する。
【００５８】
データベース３０又は記憶部１０８は、進行モデル記憶部の一形態として、進行モデルを記憶する。尚、進行モデルの具体例については、後に詳細に説明する。
【００５９】
ＣＰＵ１１０は、記憶部１０８に記憶されたプログラムに従って、構造物維持管理支援のための各種処理（例えば、損傷抽出、損傷情報生成、損傷解析、データベース制御、検索、損傷進行速度取得、対策判定、健全性診断、維持管理計画などの後述する情報処理）を実行することにより、構造物維持管理支援のための各種機能を発揮する。
【００６０】
ＣＰＵ１１０は、点検対象構造物の撮影画像から損傷を抽出する損傷抽出部１２０と、撮影画像から抽出された損傷に基づいて損傷情報を生成する損傷情報生成部１２２と、進行モデルに基づいて点検対象構造物の損傷情報を解析して、点検対象構造物の損傷度を取得する損傷解析部１２４と、点検対象構造物の撮影画像、損傷情報、及び損傷度を互いに関連付けてデータベース３０に記憶させるデータベース制御部１２６と、損傷進行パラメータが点検対象構造物と同一又は類似する別の構造物の点検結果情報を検索する機能、及び点検対象構造物の損傷情報に類似する他の損傷情報（以下「類似損傷情報」という）をデータベース３０から検索する機能を有する検索部１２８と、点検時期が異なる複数の損傷度を比較して点検対象構造物の損傷進行速度を取得する損傷進行速度取得部１３０と、点検対象構造物の損傷に対する対策を判定する対策判定部１３２、点検対象構造物の健全性を診断する健全性診断部１３４と、点検対象構造物の維持管理の計画情報を生成する維持管理計画部１３６とを含む。
【００６１】
損傷抽出部１２０は、種々の方法により損傷の抽出を行うことができる。例えば特許４００６００７号公報に記載されたひび割れ検出方法を用いることができる。この方法は、対比される２つの濃度に対応したウェーブレット係数を算定すると共に、その２つの濃度をそれぞれ変化させた場合のそれぞれのウェーブレット係数を算定してウェーブレット係数テーブルを作成し、ひび割れ検出対象であるコンクリート表面を撮影した入力画像をウェーブレット変換することによってウェーブレット画像を作成する工程と、ウェーブレット係数テーブル内において、局所領域内の近傍画素の平均濃度と注目画素の濃度に対応するウェーブレット係数を閾値として、注目画素のウェーブレット係数と該閾値とを比較することによりひび割れ領域とひび割れでない領域を判定する工程とからなるひび割れ検出方法である。
【００６２】
なお、損傷抽出部１２０による損傷の抽出は、撮影画像から損傷の部分画像（以下「損傷部分画像」という）を抽出する場合に限定されない。損傷抽出部１２０による損傷の抽出には、撮影画像内の損傷の領域を識別するだけの場合が含まれ、この場合には損傷抽出部１２０により撮影画像内の損傷の領域のうち少なくとも一部を示す情報（以下「損傷領域情報」という）が抽出される。
【００６３】
損傷情報生成部１２２は、撮影画像と撮影画像から抽出された損傷（損傷部分画像及び損傷領域情報のうち少なくとも一方である）とに基づいて、損傷の特徴量を示す損傷情報を生成する。損傷情報生成部１２２は、抽出された損傷に関する種々の特徴量を損傷情報として生成する。本例の損傷情報生成部１２２は、ベクトルの階層構造に関する階層構造情報、及び点検対象構造物とベクトルとの方向に関する相対方向情報のうち、少なくとも一つを含む損傷情報を生成する。
【００６４】
図３は、損傷情報生成部１２２の内部構成例を示すブロック図である。本例の損傷情報生成部１２２は、ベクトル化部１２２Ａ、相対角度算出部１２２Ｂ、階層構造情報生成部１２２Ｃ、補正部１２２Ｄ、相対方向情報生成部１２２Ｅ、ベクトル連結部１２２Ｆ、及び属性情報付加部１２２Ｇを含んで構成される。
【００６５】
損傷情報生成部１２２のベクトル化部１２２Ａは、損傷抽出部１２０で抽出された損傷（損傷部分画像又は損傷領域情報）をベクトル化して損傷のベクトルデータ（以下「損傷ベクトル」又は単に「ベクトル」という）を生成する。
【００６６】
損傷情報生成部１２２の相対角度算出部１２２Ｂは、複数のベクトル同士の相対角度を算出する。つまり、一のベクトルと他のベクトルとが成す角度を算出する。
【００６７】
損傷情報生成部１２２の階層構造情報生成部１２２Ｃは、ベクトルの階層構造を示す階層構造情報を生成する。階層構造情報は、ベクトル同士の連結関係を階層的に表現した情報である。階層構造情報は、複数のベクトルによって構成されるベクトルグループのうちで各ベクトルがどの階層に属するかを示す階層識別情報（「所属階層情報」ともいう）を含む。階層識別情報は、例えば、数字で表現された階層番号を用いることができる。数字以外のコード（例えば英字、記号を含む）で表現してもよい。
【００６８】
損傷情報生成部１２２の補正部１２２Ｄは、撮影時期が異なる複数の撮影画像からそれぞれ生成される複数のベクトルのうち、少なくとも一方に対して補正を行うことにより、撮影時期が異なる複数の撮影画像からそれぞれ生成される複数のベクトル同士で座標位置及び方向の対応付けを行う。なお、本例の補正部１２２Ｄはベクトルに対して補正を行う態様であるが、本発明における「補正部」は撮影時期が異なる複数の撮影画像に対して補正を行う態様でもよい。
【００６９】
損傷情報生成部１２２の相対方向情報生成部１２２Ｅは、構造物の方向とベクトルの方向との相対的な関係を示す相対方向情報を生成する。例えば、構造物の基準線の方向とベクトルの方向とで決まる角度が、相対方向情報として生成される。
【００７０】
損傷情報生成部１２２のベクトル連結部１２２Ｆは、空間的に分離した複数のベクトルを連結させる。
【００７１】
損傷情報生成部１２２の属性情報付加部１２２Ｇは、損傷情報に対して各種の属性情報（「付加情報」ともいう）を付加する。例えば、ひび割れの場合、ひび割れが生じている位置及び方向だけでなく、ひび割れの長さ、幅、ひび割れ同士の間隔、及びひび割れの密度をそれぞれ示す各種の属性情報が損傷情報に対して付加される。
【００７２】
損傷解析部１２４は、データベース３０から外部入出力部１０２（「進行モデル取得部」の一形態である）により入力された進行モデルに基づいて、点検対象構造物の損傷情報を解析することにより、点検対象構造物の損傷状態に対応する損傷進行程度の評価区分である損傷度を取得する。本例の損傷進行速度取得部１３０は、損傷度を取得する際に、損傷情報のうち少なくともベクトルを解析する。より好ましくは、少なくとも階層構造情報を解析する。
【００７３】
本例の損傷解析部１２４は、点検対象構造物の自然環境に関する自然環境情報、点検対象構造物の利用状況に関する利用状況情報、点検対象構造物の構造に関する構造情報、点検対象構造物に付与された薬剤に関する薬剤情報、及び、点検対象構造物の補修実績と補強実績に関する維持管理実績情報のうち、少なくとも一つに基づいて損傷情報を解析することにより損傷度を取得する。
【００７４】
データベース制御部１２６は、各種のデータベース制御機能を有する。本例のデータベース制御部１２６は、損傷進行速度を他の点検結果情報（撮影画像、損傷情報、及び損傷度を含む）と関連付けてデータベース３０に記憶させる。また、本例のデータベース制御部１２６は、構造物の損傷進行に影響する損傷進行パラメータを、構造物の点検結果情報（撮影画像、損傷情報、損傷度、及び損傷進行速度を含む）と関連付けてデータベース３０に記憶させる。
【００７５】
検索部１２８は、損傷進行パラメータが点検対象構造物と同一又は類似する別の構造物の点検結果情報をデータベース３０から検索する機能（第１の検索部としての機能）を有する。例えば、検索部１２８は、点検対象構造物とは別の構造物における点検結果情報の少なくとも一部（撮影画像、損傷情報、損傷度、又は損傷進行速度を含む）を損傷進行パラメータに基づいて検索する。
【００７６】
また、検索部１２８は、点検対象構造物の損傷情報に類似する他の損傷情報である類似損傷情報をデータベース３０から検索する機能（第２の検索部としての機能）を有する。また、検索部１２８は、類似損傷情報に関連付けられた点検結果情報をデータベース３０から検索する機能を有する。つまり、検索部１２８は、損傷のベクトル及び階層構造情報を含む損傷情報を用いて類似損傷情報をデータベース３０から検索し、且つ類似損傷情報に関連付けられてデータベース３０に記憶されている点検結果情報のうちの少なくとも一部（撮影画像、損傷度、又は損傷進行速度を含む）をデータベース３０から検索する。
【００７７】
また、検索部１２８は、損傷進行パラメータが点検対象構造物と同一又は類似する別の構造物に対応する進行モデルをデータベース３０から検索する機能（第３の検索部としての機能）を有する。
【００７８】
損傷進行速度取得部１３０は、点検対象構造物の点検時期（本例では撮影時期である）が異なる複数の撮影画像を元にそれぞれ取得された複数の損傷度を比較して、点検対象構造物の損傷進行速度を取得する。
【００７９】
また、損傷進行速度取得部１３０は、点検対象構造物の最新の撮影時期よりも過去の時期での点検対象構造物の損傷度がデータベース３０に無い場合、データベース３０で類似損傷情報に関連付けられた進行速度及び損傷度のうち少なくとも一方を用いて、点検対象構造物の最新の点検時期又は最新の点検時期よりも過去の時期での点検対象構造物の損傷進行速度を推定する。
【００８０】
また、損傷進行速度取得部１３０は、データベース３０で類似損傷情報に関連付けて記憶された進行速度を用いて、点検対象構造物の最新の点検時期よりも先の時期での点検対象構造物の損傷進行速度を推定する。
【００８１】
対策判定部１３２は、損傷度及び損傷進行速度に基づいて、点検対象構造物の損傷に対する対策（本例では対策区分）を判定する。
【００８２】
健全性診断部１３４は、損傷度、損傷進行速度、及び対策区分のうち少なくとも一つに基づいて、点検対象構造物の健全性を診断する。
【００８３】
維持管理計画部１３６は、点検結果情報（損傷度、損傷進行速度、対策区分、及び健全性）のうち少なくとも一部に基づいて、点検対象構造物の補修及び補強のうち少なくとも一方を含む維持管理の計画情報を生成する。
【００８４】
＜進行モデル＞
進行モデルの例として、道路橋梁のＲＣ（Reinforced Concrete）床版の損傷進行メカニズムを示す進行モデルを紹介する。
【００８５】
図４は、進行モデルの一例を模式的に示す図である。この進行モデルでは、損傷進行程度の評価区分が、損傷度１〜損傷度５で表される。各損傷度と損傷状態との対応関係は次の通りである。
【００８６】
損傷度１：損傷なし。
【００８７】
損傷度２：横方向（車輌の通行方向に直交する短手方向）に沿って複数のひび割れが並列に発生した状態である。乾燥収縮による複数のひび割れが並列の梁状になる段階である。
【００８８】
損傷度３：縦方向（車輌の通行方向に平行な長手方向）のひび割れ及び横方向のひび割れが互いに交差した状態である。活荷重による複数のひび割れが格子状になり、その格子状の領域のひび割れ密度が増加する段階である。後半時期には、ひび割れが床版の上下方向（床版下面に直交する垂直方向）で貫通する。
【００８９】
損傷度４：格子状の領域のひび割れ密度が規定値を超え、貫通した複数のひび割れの破面同士が平滑化された状態である。摺り磨き作用により床版がせん断抵抗を失う段階である。
【００９０】
損傷度５：抜け落ちが生じた状態である。低下した押抜きせん断強度を超える輪荷重により抜け落ちが生じる。
【００９１】
次に、第１の進行モデルを用いる場合の損傷解析部１２４による損傷解析例を説明する。
【００９２】
（損傷解析例１）複数のひび割れが発生した状態（損傷度２以上）である場合、損傷情報のうち少なくともベクトルの方向（ひび割れ方向を示す）に基づいて、床版の部位ごとの損傷度が損傷度２であるか損傷度３以上であるかを判別する。
【００９３】
（損傷解析例２）複数のひび割れが格子状に発生した状態（損傷度３以上）である場合、損傷情報のうち少なくともひび割れ密度に基づいて、床版の部位ごとの損傷度が損傷度３であるか損傷度４以上であるかを判別する。
【００９４】
（損傷解析例３）撮影画像から抜け落ち部分が検出された場合、損傷度５である。
【００９５】
図５は、進行モデルの他の例を模式的に示す図である。この進行モデルでは、損傷進行程度の評価区分が、損傷度１〜損傷度５で表される。各損傷度と損傷状態との対応関係は次の通りである。
【００９６】
まず、一方向ひび割れに対する、損傷度と損傷状態との対応関係を説明する。
【００９７】
損傷度１：損傷なし。
【００９８】
損傷度２：ひび割れは主として一方向のみである。最小ひび割れ間隔Ｄｍｉｎは１ｍ以上である。最大ひび割れ幅Ｗｍａｘは０．０５ｍｍ以下である。遊離石灰はない。
【００９９】
損傷度３：ひび割れは主として一方向のみである。ひび割れ間隔は問わない。ひび割れ幅Ｗは０．１ｍｍ以下である。一部には０．１ｍｍを超えるひび割れも存在する場合が含まれる。遊離石灰はない。
【０１００】
損傷度４：ひび割れは主として一方向のみである。ひび割れ間隔は問わない。最大ひび割れ幅Ｗｍａｘは０．２ｍｍ以下である。一部には０．２ｍｍを超えるひび割れも存在する場合が含まれる。
【０１０１】
損傷度５：ひび割れは主として一方向のみである。ひび割れ間隔は問わない。ひび割れ幅Ｗは０．２ｍｍ以上であり、部分的な角落ちが存在する。
【０１０２】
次に、二方向ひび割れに対する、損傷度と損傷状態との対応関係を説明する。
【０１０３】
損傷度３：ひび割れは格子状である。格子の大きさＳｒは０．５ｍ以上である。ひび割れ幅Ｗは０．１ｍｍ以下である。一部には０．１ｍｍを超えるひび割れも存在する場合が含まれる。
【０１０４】
損傷度４：ひび割れは格子状である。遊離石灰なしの場合、格子の大きさＳｒは０．２ｍ〜０．５ｍである。遊離石灰ありの場合、格子の大きさは問わない。ひび割れ幅Ｗは０．２ｍｍ以下である。一部には０．２ｍｍを超えるひび割れも存在する場合が含まれる。
【０１０５】
損傷度５：ひび割れは格子状である。遊離石灰なしの場合、格子の大きさＳｒは０．２ｍ以下である。遊離石灰ありの場合、格子の大きさは問わない。ひび割れ幅Ｗは０．２ｍｍ以上であり、部分的な角落ちが存在する。
【０１０６】
なお、進行モデルは、モデル構造物の損傷状態がベクトルで表されたモデル損傷情報と損傷度との対応関係を示すことが好ましい。つまり、損傷情報に含まれるベクトルとの対比が容易となるように、進行モデル内の損傷状態を示すデータがベクトル形式で記述される。このような場合、損傷解析部１２４は、損傷情報に含まれるベクトルと進行モデルに含まれるベクトルとを比較することで、点検対象構造物の損傷情報に対応する進行モデル内の損傷状態を示すデータを容易に探索し、そのデータに対応付けられた損傷度を取得す
ることができる。
【０１０７】
＜構造物の維持管理フロー＞
図６は、図２のコンピュータ装置１０を用いた構造物の維持管理の一例の流れを示す概略フローチャートである。以下では、図６に従って、点検対象の構造物１が橋梁である場合について、定期点検に関連する標準的な維持管理の流れを説明する。
【０１０８】
まず、構造物１の点検計画を行う（ステップＳ２）。本ステップは、コンピュータ装置１０の支援により実施可能であるが、人がコンピュータ装置１０を用いないで実施することも可能である。
【０１０９】
次に、作成された点検計画情報に基づいて、構造物１の点検作業を行う（ステップＳ４）。構造物１の点検には、撮影装置２０による構造物１の撮影が含まれる。構造物１の撮影は、点検員により構造物１の近接目視の際に手動で行われる場合と、ロボット又はドローンにより自動で行われる場合がある。橋梁の点検では、点検員が例えば橋梁下面の床版を撮影して床版画像を構造物１の撮影画像として取得する。
【０１１０】
次に、点検結果に基づいて、損傷状態の把握（「損傷状態の認識」ともいう）を行う（ステップＳ６）。損傷状態の把握は、構造物１の撮影画像に基づいて、一般に、構造物の部位ごと（あるいは部材ごと）に行われる。点検（ステップＳ４）で目視点検が行われた場合、撮影画像と併せて目視点検結果にも基づいて、損傷状態の把握を行うことが、好ましい。
【０１１１】
損傷状態の把握（ステップＳ６）には、後に詳説するが、コンピュータ装置１０により行われる、撮影画像に基づく損傷情報生成、及び損傷情報に基づく損傷進行速度取得が含まれる。
【０１１２】
以降の処理（ステップＳ８〜Ｓ１４）は、コンピュータ装置１０の支援により実施可能であるが、人がコンピュータ装置１０を用いないで実施することも可能である。
【０１１３】
損傷状態の把握結果に基づいて、対策区分の判定を行う（ステップＳ８）。対策区分の判定は、一般に、構造物の部材ごとの損傷状態に基づいて、構造上の部材区分ごと、部位ごと（あるいは部材ごと）、及び損傷種類ごとのうち、少なくともいずれか一つで行われる。
【０１１４】
次に、損傷状態の把握結果及び対策区分の判定結果に基づいて、構造物の健全性の診断を行う（ステップＳ１０）。健全性の診断は、一般に、損傷が構造物の機能に及ぼす影響の観点から行う。例えば、損傷なし、又は損傷が発生していても構造物の機能に未だ支障が生じていない、と診断した場合には、健全性の区分を「健全」とする。構造物の機能に未だ支障が生じていないが予防保全の観点から何らかの措置を講ずることが望ましい、と診断した場合には、健全性の区分を「予防保全段階」とする。構造物の機能に将来支障が生じる可能性があり早期に措置を講ずべき状態である、と診断した場合には、健全性の区分を「早期措置段階」とする。構造物の機能に既に支障が生じている、又は将来支障が生じる可能性が著しく高く緊急に措置を講ずべき状態である、と診断した場合には、健全性の区分を「緊急措置段階」とする。
【０１１５】
次に、点検結果の記録を行う（ステップＳ１２）。本例では、点検員の点検作業（ステップＳ４）で一次的に得られた点検結果情報である点検作業結果（撮影画像、点検作業員の近接目視レポートなど）、損傷状態の把握（ステップＳ６）で二次的に得られた点検結果情報である情報処理結果、対策区分の判定（ステップＳ８）で得られた対策判定結果、及び健全性の診断（ステップＳ１０）で得られた健全性診断結果が、点検結果として、データベース３０に記録される。
【０１１６】
コンピュータ装置１０又は点検員により作成されるレポートには、損傷図が含まれる。損傷図には、例えばひび割れ及び遊離石灰が損傷として記載される。損傷図の形式例として、撮影画像上に記載する形式、及び模式図に記載する形式が挙げられる。レポート作成の際、同じ橋梁を点検した過去のレポートがデータベース３０に存在する場合には、その過去のレポートに対して損傷の進行内容を記載してもよい。過去のレポートに対して、今回のレポートに付加される撮影画像とは異なる画像処理が用いられていてもよい。また、過去のレポートを異なる点検業者が作成している場合、損傷図の形式が異なっていてもよい。
【０１１７】
次に、データベースに記録された点検結果情報に基づいて、構造物の維持あるいは補修等の計画を行う（ステップＳ１４）。ここで「補修等」とは、構造物の補修及び補強のうち少なくとも一つを含む。
【０１１８】
図７は、第１の実施形態における損傷状態の把握（ステップＳ６）において実行される情報処理の一例の流れを示すフローチャートである。本処理は、コンピュータ装置１０のＣＰＵ１１０によりプログラムに従って実行される。
【０１１９】
まず、外部入出力部１０２により、点検対象構造物の撮影画像を入力する（ステップＳ１０２）。外部入出力部１０２は、撮影装置２０との無線通信又は有線通信により、撮影装置２０から直接的に撮影画像を入力することができる。データベース３０に撮影画像が記憶されている場合、外部入出力部１０２はデータベース３０から撮影画像を入力することができる。記録媒体に撮影画像が記憶されている場合、外部入出力部１０２は記録媒体から撮影画像を入力することができる。
【０１２０】
次に、損傷抽出部１２０により、点検対象構造物の撮影画像から損傷を抽出する（ステップＳ１０４）。
【０１２１】
次に、損傷情報生成部１２２により、抽出された損傷の特徴を示す損傷情報を生成する（ステップＳ１０６）。
【０１２２】
図８は、損傷情報生成（ステップＳ１０６）の詳細を示すフローチャートである。
【０１２３】
図７のステップＳ１０４で抽出された損傷は、損傷情報生成部１２２のベクトル化部１２２Ａによりベクトル化されて、ベクトルが生成される（ステップＳ１４２）。
【０１２４】
また、損傷情報生成部１２２の相対角度算出部１２２Ｂにより複数のベクトル同士の相対角度が算出され（ステップＳ１４４）、損傷情報生成部１２２の階層構造情報生成部１２２Ｃによりベクトルの階層構造を示す階層構造情報が生成される（ステップＳ１４６）。
【０１２５】
また、損傷情報生成部１２２の補正部１２２Ｄにより、階層構造情報を用いて損傷のベクトルに対して補正が行われる（ステップＳ１４８）。これにより、損傷のベクトルの座標位置及び方向のズレが高精度で補正される。なぜなら、損傷進行程度は時間経過により進行するため、損傷部分画像同士を単純に比較して差分を補正するというラスタデータの補正処理では座標位置ズレ及び方向ズレが補正困難となる場合が考えられるが、階層構造情報を用いてベクトル同士を比較した補正（ベクトルデータの補正）が行われるので、撮影時期が異なることにより損傷の進行程度が異なっていても、座標位置ズレ及び方向ズレを確実に補正できるからである。
【０１２６】
また、損傷情報生成部１２２の相対方向情報生成部１２２Ｅにより、構造物１の方向と各ベクトルの方向との相対的な関係を示す相対方向情報が生成される（ステップＳ１５０）。
【０１２７】
以上のステップＳ１４２〜Ｓ１５０により、本例では、ベクトル、ベクトル同士の相対角度、階層構造情報、及び相対方向情報を含む損傷情報が生成される。
【０１２８】
また、損傷情報生成部１２２のベクトル連結部１２２Ｆにより、空間的に分離した複数のベクトルが連結される（ステップＳ１５２）。つまり、ステップＳ１４６で階層構造化されたベクトルは、ベクトル連結部１２２Ｆにより必要に応じて連結され、階層構造が再構築される。
【０１２９】
また、損傷情報生成部１２２の属性情報付加部１２２Ｇにより、損傷情報に対して各種の属性情報（付加情報）が付加される（ステップＳ１５４）。
【０１３０】
図７に戻って、図７のステップＳ１０８〜Ｓ１２０を説明する。
【０１３１】
外部入出力部１０２により、進行モデルを取得する（ステップＳ１０８）。進行モデルは、モデル構造物の損傷状態と損傷進行程度の評価区分である損傷度との対応関係を示す。ここで、「損傷進行程度」とは点検時に損傷がどの程度まで進んでいたのかを示す。
【０１３２】
次に、損傷解析部１２４により、進行モデルに基づいて点検対象構造物の損傷情報を解析して、点検対象構造物の損傷状態に対応する損傷進行程度の評価区分（損傷度）を取得する（ステップＳ１１０）。
【０１３３】
次に、データベース制御部１２６により、撮影画像を元に取得された損傷情報及び損傷度を、外部入出力部１０２を介してデータベース３０に記憶させる（ステップＳ１１２）。
【０１３４】
次に、今回の点検対象構造物の過去の点検結果情報がデータベース３０にあるか否かを判定する（ステップＳ１１４）。
【０１３５】
過去の点検結果情報がある場合（ステップＳ１１４でＹＥＳの場合）、ステップＳ１１６〜Ｓ１２０が実行される。
【０１３６】
まず、外部入出力部１０２を介して、データベース３０から、過去の撮影画像を元に取得された過去の損傷度を取得する（ステップＳ１１６）。
【０１３７】
次に、損傷進行速度取得部１３０により、最新の撮影画像を元に取得された損傷度と過去の撮影画像を元に取得された損傷度とを比較して、構造物の損傷進行速度を取得する（ステップＳ１１８）。
【０１３８】
尚、「過去の撮影画像」とは、最新の撮影時期（例えば今年）よりも過去の時期（例えば五年前）に撮影された撮影画像である。撮影時期が異なる過去の複数の撮影画像を元（ソース）にそれぞれ取得された複数の損傷度を比較する場合であってもよい。例えば、１年前の撮影画像を元にした損傷度（１年前の損傷度）と６年前の撮影画像を元にした損傷度（６年前の損傷度）とを比較して、１年前の進行速度の算出又は現在の進行速度の算出を行うという損傷進行速度取得も可能である。
【０１３９】
次に、データベース制御部１２６により、データベース３０に損傷進行速度を損傷情報及び損傷度を関連付けて記憶させる（ステップＳ１２０）。
【０１４０】
本例の情報処理によれば、点検対象構造物の損傷進行速度の算出結果を利用することで、例えば予防の観点での補修計画を立案できる。例えば、点検対象構造物の損傷進行速度を同種類の他の構造物の損傷進行速度の平均値と比較することで、補修の要否の判断及び補修計画の検討を適切に行うことができる。
【０１４１】
なお、図７のフローチャートでは、過去の点検結果情報が存在しない場合（ステップＳ１１４でＮＯの場合）には損傷進行速度の取得を行わないが、図９のフローチャートに示すように、別の構造物に関して求められた損傷進行速度を利用する情報処理を行うことが好ましい。
【０１４２】
図９のステップＳ１０２〜Ｓ１２０は、図７と同様であり、説明を省略する。本例では、過去の点検結果情報が存在しない場合（ステップＳ１１４でＮＯの場合）、ステップＳ２０２〜２０６が実行される。
【０１４３】
まず、検索部１２８により、点検対象構造物とは別の構造物（本例では橋梁である）の過去の類似損傷情報をデータベース３０から検索する（ステップＳ２０２）。ここで、点検対象構造物の損傷情報に類似する他の損傷情報であって点検対象構造物とは別の構造物の過去の損傷情報が検索される。
【０１４４】
次に、外部入出力部１０２により、点検対象構造物とは別の構造物の損傷進行速度をデータベース３０から取得する（ステップＳ２０４）。ここで、検索されて類似損傷情報に関連付けてデータベース３０に記憶されている損傷進行速度が、データベース３０から取得される。
【０１４５】
次に、データベース制御部１２６により、データベース３０に対して、取得された損傷進行速度を点検対象構造物の他の点検結果情報に関連付けさせる制御が行われる（ステップＳ２０６）。
【０１４６】
本例の情報処理によれば、点検対象構造物の過去の点検結果が存在しない場合でも、別の構造物の損傷進行速度の予測結果を利用することで、例えば予防の観点での補修計画を立案できる。
【０１４７】
［第２の実施形態］
第２の実施形態におけるコンピュータ装置１０は、構造物の損傷進行に影響するパラメータ（以下「損傷進行パラメータ」という）を用いて、データベース３０から点検対象構造物とは別の構造物の過去の点検結果情報を検索する機能と、その検索の結果に基づいて点検対象構造物の進行モデルを生成する機能を有する。
【０１４８】
図１０は、データベース３０の進行モデルに関するデータ構成例を示す模式図である。
【０１４９】
図１０に示すように、データベース３０は、構造物の自然環境に関する自然環境情報ＰＰ１、構造物の利用状況に関する利用状況情報ＰＰ２、構造物の構造に関する構造情報ＰＰ３、構造物の材料に関する材料情報ＰＰ４、構造物に付与された薬剤に関する薬剤情報ＰＰ５、及び構造物の補修実績と補強実績に関する維持管理実績情報ＰＰ６といった損傷進行パラメータＰＰを、構造物の損傷情報ＤＩ、構造物の損傷度ＤＤ及び構造物の損傷進行速度ＤＳを含む点検結果情報と、進行モデルＭとに関連付けて記憶する。つまり、データベース３０は、点検対象構造物とは別の構造物の損傷進行パラメータＰＰと点検結果情報と進行モデルを関連付けて記憶している。また、データベース３０は、点検対象構造物が未点検であり点検対象構造物の過去の点検結果情報が未蓄積の状態であっても、点検対象構造物の少なくとも損傷進行パラメータＰＰ１〜ＰＰ５を点検計画情報と関連付けて記憶している。
【０１５０】
図１１は、第２の実施形態のコンピュータ装置１０の構成例を示すブロック図である。図１１において、図２に示した第１の実施形態と同じ構成要素には同じ符号を付してあり、第１の実施形態で既に説明した内容は以下では省略する。
【０１５１】
検索部１２８は、データベース３０から、点検対象構造物とは別の構造物の過去の点検結果情報（損傷情報ＤＩ、損傷度ＤＤ及び損傷進行速度ＤＳを含む）であって、損傷進行パラメータが点検対象構造物と同一又は類似する別の構造物の点検結果情報を検索する機能を有する。
【０１５２】
進行モデル生成部１５２は、検索された別の構造物の点検結果情報を用いて、点検対象の構造物の損傷進行パラメータに対応する進行モデルＭを生成する。
【０１５３】
データベース制御部１２６は、生成された進行モデルＭを、損傷進行パラメータＰＰと関連付けてデータベース３０に記憶させる。生成された進行モデルＭを、点検対象構造物の点検計画情報と関連付けてデータベース３０に記憶させてよい。
【０１５４】
損傷解析部１２４は、点検対象物の点検時に、点検対象構造物とは別の構造物の過去の点検結果情報に基づいて生成された進行モデルＭを、データベース３０から外部入出力部１０２を介して取得し、その取得した進行モデルＭに基づいて、点検対象構造物の損傷度ＤＤを取得することができる。例えば、データベース３０に点検対象の構造物の点検計画情報と関連付けられて記憶された点検対象構造物の損傷進行パラメータＰＰをデータベース３０から取得し、データベース３０に点検対象構造物の損傷進行パラメータＰＰと関連付けられて記憶された進行モデルＭを取得する。生成された進行モデルＭを点検対象構造物の点検計画情報と関連付けてデータベース３０に記憶させた場合には、点検対象構造物の点検計画情報に基づいて直接的にデータベース３０から進行モデルＭを取得することもできる。
【０１５５】
損傷進行速度取得部１３０は、進行モデル生成部１５２により生成された進行モデルＭに基づく損傷度ＤＤを用いて、点検対象の構造物の損傷進行速度を取得することができる。
【０１５６】
［第３の実施形態］
第３の実施形態におけるコンピュータ装置１０は、進行モデルを細分化する機能を有する。
【０１５７】
図１２は、第３の実施形態のコンピュータ装置１０の構成例を示すブロック図である。図１２において、図２又は図１１と同じ構成要素には同じ符号を付してあり、第１の実施形態又は第２の実施形態で既に説明した内容は以下では省略する。
【０１５８】
進行モデル細分化部１５４は、点検対象構造物の損傷情報に基づいて、進行モデルを細分化する。進行モデル細分化部１５４は、例えば、損傷情報を構成するベクトル及び階層構造情報を用いて、進行モデルにおける損傷状態及び損傷度を細分化する。
【０１５９】
図１３は、進行モデルの細分化例の説明に用いる説明図である。図１３において、細分化前の進行モデルＭｂは、三段階の損傷度（損傷度１、損傷度２、及び損傷度３）で損傷状態を判定するための進行モデルである。本例は、進行モデル細分化部１５４により、複数の損傷度のそれぞれが二つに細分化された場合であり、細分化後の進行モデルＭａは、六段階の損傷度（損傷度１−１、損傷度１−２、損傷度２−１、損傷度２−２、損傷度３−１、及び損傷度３−２）で損傷状態を判定するための進行モデルである。
【０１６０】
進行モデル細分化部１５４による進行モデル細分化の態様には、各種ある。
【０１６１】
第１に、データベース３０に蓄積された点検結果情報を分析し、その分析結果に基づいて進行モデルを細分化する態様がある。例えば、進行モデル細分化部１５４により、点検結果情報を分析して、まず対策区分を分割するか否かを判定し、対策区分を分割すると判定した場合には、分割する対策区分に対応した損傷度を分割後の対策区分に応じて分割し、さらに分割する損傷度に対応した損傷情報を分割後の損傷度に応じて分割する。そして分割後の損傷情報と分割後の損傷度との対応関係を進行モデルに反映させることで、進行モデルを細分化する。対策区分を分割するか否かを人が判定してもよいが、進行モデル細分化部１５４が自動的に判定してもよい。
【０１６２】
第２に、細分化の指示入力を受け付け、その指示入力に従って進行モデルを細分化する態様がある。例えば、操作部１０６又は外部入出力部１０２により、分割対象の損傷度を示す指示入力を受け付け、分割する損傷度に対応した損傷情報を分割後の損傷度に応じて分割する。そして分割後の損傷情報と分割後の損傷度との対応関係を進行モデルに反映させることで、進行モデルを細分化する。
【０１６３】
第３に、損傷度を判定するためのパラメータを増やすことで、進行モデルを細分化する態様がある。例えば、損傷状態と損傷度との対応関係を示す進行モデルから、損傷状態と損傷進行速度と損傷度との対応関係を示す進行モデルに変更することで、進行モデルを細分化する。
【０１６４】
［損傷進行速度の取得のバリエーション］
損傷進行速度の取得には、各種のバリエーションがある。
【０１６５】
前述の第１の実施形態から第３の実施形態では、点検対象の構造物での損傷進行程度の評価区分である損傷度の経時的な差分を算出することで、その「損傷度の経時的な差分」を損傷進行速度（以下「第１の損傷進行速度」という）として取得する場合を説明したが、損傷度以外の情報の経時的な差分も算出することで、第１の損傷進行速度とは別の損傷進行速度も併せて取得することが好ましい。
【０１６６】
第１に、損傷の特徴量ごとの経時的な差分を算出することで、その「損傷の特徴量ごとの経時的な差分」を第２の損傷進行速度として取得し、その第２の損傷進行速度を第１の損傷進行速度と関連付けてデータベース３０に記憶させることができる。
【０１６７】
例えば、点検対象の構造物に多様な複数種類の特徴量（例えば、異なる長さ、異なる幅、及び異なる間隔）で複数のひび割れが生じた場合、画像処理によって、ひび割れの状態を特徴量（例えば、長さ、幅、及び間隔）ごとに定量化し、ひび割れの特徴量ごとの経時的な差分（例えば、長さの経時的な差分、幅の経時的な差分、及び間隔の経時的な差分）を第２の損傷進行速度として算出する。
【０１６８】
第２に、損傷パターンの経時的な差分を算出することで、その「損傷パターンの経時的な差分」を第３の損傷進行速度として取得し、その第３の損傷進行速度を第１の損傷進行速度と関連付けてデータベース３０に記憶させることができる。
【０１６９】
例えば、点検対象の構造物に複雑なパターン（例えば蜘蛛の巣形状）でひび割れが生じた場合、ひび割れの状態を適切に把握するためには、ひび割れの一本ずつを個別に評価するのではなく、複数本のひび割れを「束」（グループ）として評価する必要がある。例えば、過去と現在で「階層構造情報の経時的な差分」（例えば階層番号の最大値の変化）を第３の損傷進行速度として算出する。
【０１７０】
つまり、損傷情報を利用した解析を行うことにより、損傷進行速度を更に適切に取得することができる。
【０１７１】
図１４は、損傷進行速度の取得の第１のバリエーション及び第２のバリエーションを同時に行う場合の説明に用いる説明図である。図中上側のひび割れパターンＣＰ１は、前回の点検時に抽出されたひび割れＣｖ（Ｌｖ１）のパターンである。図中下側のひび割れパターンＣＰ２は、今回の点検時に抽出されたひび割れＣｖ（Ｌｖ１）及びＣｖ（Ｌｖ２）のパターンである。なお、図中のひび割れＣｖ（Ｌｖ１）及びＣｖ（Ｌｖ２）は、撮影画像中のひび割れを線分近似して得られるベクトル（損傷ベクトル）で表されている。また、図中のＬ１、Ｗ１、Ｇｉ１、及びＬｖ１はそれぞれ、前回の点検時のひび割れの長さ、幅、ベクトルグループ同士の間隔、及び階層番号の最大値である。また、図中のＬ２、Ｗ２、Ｇｉ２、及びＬｖ２はそれぞれ、今回の点検時のひび割れの長さ、幅、ベクトルグループ同士の間隔、及び階層番号の最大値である。そうすると、損傷進行速度取得部１３０は、前回と今回とのひび割れＣｖ（Ｌｖ１）の長さの差分（Ｌ２−Ｌ１）及び幅の差分（Ｗ２−Ｗ１）と、ベクトルグループ同士の間隔の差分（Ｇｉ２−Ｇｉ１）を、第２の損傷進行速度として算出し、且つ階層番号の最大値の差分（Ｌｖ２−Ｌｖ１）を第３の損傷進行速度として算出し、これらの第２の損傷進行速度及び第３の損傷進行速度を第１の損傷進行速度と共にデータベース３０に記憶させる。前回の点検時と今回の点検時との損傷度の経時的な差分（第１の損傷進行速度である）が「０」（ゼロ）になる場合でも、第２の損傷進行速度（Ｌ２−Ｌ１、Ｗ２−Ｗ１、Ｇｉ２−Ｇｉ１）及び第３の損傷進行速度（Ｌｖ２−Ｌｖ１）は「０」（ゼロ）よりも大きいので、これらの第２の損傷進行速度及び第３の損傷進行速度のうち少なくとも一方を参照することにより、第１の損傷進行速度がゼロとなる初期段階での損傷進行であっても、適切に損傷進行程度を把握することが可能になる。
【０１７２】
また、損傷進行速度の算出は、構造物の部位ごとの点検結果情報をパラメータとして組み込んでもよい。つまり、損傷情報以外の情報も利用して、損傷進行速度の予測精度を高める。
【０１７３】
［損傷進行速度の検索のバリエーション］
損傷進行速度の検索には、各種のバリエーションがある。
【０１７４】
第１に、損傷進行パラメータを検索キーとして損傷進行速度を検索する。具体的には、損傷進行パラメータと損傷進行速度とを関連付けて、複数の損傷進行速度をデータベース３０に記憶させておく。検索部１２８は、損傷進行パラメータを検索キーとして、必要な損傷進行速度をデータベース３０から検索する。なお、損傷進行パラメータの例は、第２の実施形態において説明したので、ここでは説明を省略する。
【０１７５】
第２に、同一の損傷進行パラメータに関連付けられた複数の損傷進行速度から、代表的な損傷進行速度を検索する。例えば、同一の損傷進行パラメータに対して複数の損傷進行速度が関連付けられている場合、検索部１２８により、平均値から一定値以上離れた損傷進行速度又は最頻領域から一定値以上離れた損傷進行速度は除外して、代表的な損傷進行速度（平均値又は最頻領域から一定値以内の損傷進行速度）のみをデータベース３０から検索する。
【０１７６】
第３に、学習機能により統計的手法で算出した結果を利用して、検索部１２８により、損傷進行速度を検索する。学習機能には様々な態様が考えられる。例えば、第２の実施形態において説明したように、点検対象構造物に適した損傷進行モデルを学習機能で生成する場合、その生成された損傷進行モデルに関連付けられている損傷進行速度をデータベース３０から検索する。
【０１７７】
第４に、類似尺度を設定して、検索部１２８により、点検対象の構造物に最も類似した別の構造物の損傷進行速度、あるいは点検対象構造物の損傷情報に類似した損傷情報（類似損傷情報）に関連付けられている損傷進行速度を検索する。
【０１７８】
［損傷進行速度の利用のバリエーション］
損傷進行速度の利用には、各種のバリエーションがある。
【０１７９】
第１に、コンピュータ装置１０により、点検結果レポートを作成する場合、損傷進行速度を点検結果レポートに含めることができる。損傷進行速度以外の情報（例えば構造物の損傷状態だけ）をレポートする場合と比較して、その損傷状態と共に損傷進行速度を参照できるようになるので、補修計画を適切に立案し易くなる。
【０１８０】
第２に、コンピュータ装置１０により、データベース３０に記憶された各種の情報に損傷進行速度を関連付けることにより、各種の統計に利用できるようになる。構造物の維持管理以外の用途（例えば構造物の設計）にも利用できる。
【０１８１】
第３に、構造物に関するハザードマップの作成に損傷進行速度を利用できる。例えば、同種類あるいは同条件の別の構造物と比較して損傷進行速度が大きい構造物は、危険性が高い可能性があり、そのような構造物の利用を制限するなどの対策を立てることが可能となる。
【０１８２】
また、損傷進行速度だけでなく、損傷情報生成部１２２で生成された損傷情報に含まれる各種の情報（例えば、階層構造情報及び相対方向情報）を、データベース３０に記憶させることで、構造物の維持管理だけでなく様々な用途での利便性を図ることができる。
【０１８３】
［損傷情報の生成のバリエーション］
＜損傷ベクトルの生成＞
以下では、損傷がコンクリート構造物のひび割れである場合を例に説明する。
【０１８４】
損傷情報生成部１２２のベクトル化部１２２Ａによるベクトル化に際しては、抽出した損傷（ひび割れ）を必要に応じ２値化及び／または細線化する。なお「ベクトル化」とは、損傷に対し始点及び終点で定まる線分を求めることであり、損傷（ひび割れ）が曲線状の場合、曲線と線分の距離が閾値以下になるように損傷を複数の区間に分割し、複数の区間のそれぞれについて損傷ベクトルを生成する。図１５の例では、曲線状の損傷Ｃｒを４つの区間Ｃｒ１〜Ｃｒ４に分割し、それぞれの区間について損傷ベクトルＣｖ１〜Ｃｖ４を生成することで、区間Ｃｒ１〜Ｃｒ４における損傷と損傷ベクトルＣｖ１〜Ｃｖ４との距離ｄ１〜ｄ４が閾値以下になるようにしている。
【０１８５】
損傷ベクトルの生成に際しては、例えば床版２の特徴点を座標系の原点とし、損傷ベクトルのグループ（ベクトルグループ）について、原点からの距離が最小になる端点を第１の始点とし、以下損傷ベクトルの走行方向に沿って順次終点、始点を決定することができる。図１６の例では、床版２上の点Ｐ０を座標系の原点、図の右方向及び下方向をそれぞれ座標系のＸ軸方向、Ｙ軸方向としたときに、ベクトルグループＣ７の点Ｐ１３，Ｐ１４，Ｐ１５，Ｐ１６のうち点Ｐ０からの距離ｄが最も短くなる点Ｐ１３を損傷ベクトルＣ７−１の始点とし、以下、点Ｐ１４を損傷ベクトルＣ７−１の終点（かつ損傷ベクトルＣ７−２，Ｃ７−３の始点）、点Ｐ１５，Ｐ１６をそれぞれ損傷ベクトルＣ７−２，Ｃ７−３の終点とすることができる。
【０１８６】
しかしながら、同様の手法でベクトルグループＣ８の始点を決定すると、点Ｐ１７が損傷ベクトルＣ８−１の始点、点Ｐ１８が損傷ベクトルＣ８−２，Ｃ８−３の始点となり、損傷ベクトルＣ８−３の走行方向（点Ｐ１８から点Ｐ２０へ向かう方向）が損傷ベクトルＣ８−１の走行方向と逆行してしまう。そこでこのような場合は、図１７に示すように点Ｐ１９を損傷ベクトルＣ８Ａ−１の始点とし、以下、点Ｐ１８を損傷ベクトルＣ８Ａ−１の終点（かつ損傷ベクトルＣ８Ａ−２，Ｃ８Ａ−３の始点）、点Ｐ１７，Ｐ２０をそれぞれ損傷ベクトルＣ８Ａ−２，Ｃ８Ａ−３の終点とするようにしてもよい。なおこの場合の損傷ベクトルの集合体をベクトルグループＣ８Ａと表記する。このような処理はベクトル化部１２２Ａがユーザの指示入力を介さずに行うようにしてもよいし、操作部１０６を介したユーザの指示入力に基づいてベクトル化部１２２Ａが行うようにしてもよい。
【０１８７】
＜分離した損傷ベクトルの連結＞
上述のようにして損傷ベクトルを生成する場合、損傷が床版２の内部では連続しているが表面では分離していると、分離した損傷ベクトルとして認識されてしまう可能性がある。そこで本実施形態に係るコンピュータ装置１０では、そのような複数の損傷ベクトルを連結して１または複数のベクトルを生成する。
【０１８８】
図１８は損傷ベクトルの連結の例を示す図であり、損傷ベクトルＣ３−１（点Ｐ２１、点Ｐ２２がそれぞれ始点、終点）を含むベクトルグループＣ３と、損傷ベクトルＣ４−１（点Ｐ２３、点Ｐ２４がそれぞれ始点、終点）を含むベクトルグループＣ４とが抽出された状況を示している。また、損傷ベクトルＣ３−１が点Ｐ２２及び点Ｐ２３を結ぶ線分となす角をα１とし、点Ｐ２２及び点Ｐ２３を結ぶ線分が損傷ベクトルＣ４−１となす角をα２とする。このとき、角α１及び角α２が共に閾値以下ならば、損傷ベクトルＣ３−１及びＣ４−１を連結し、またベクトルグループＣ３及びＣ４を融合させる。具体的には、図１９に示すように新たな損傷ベクトルＣ５−２を生成してその他の損傷ベクトルＣ５−１（損傷ベクトルＣ３−１と同一）及びＣ５−３（損傷ベクトルＣ４−１と同一）と連結させ、これら損傷ベクトルＣ５−１，Ｃ５−２，及びＣ５−３を含む新たなベクトルグループをベクトルグループＣ５とする。
【０１８９】
なお上述の手法は損傷ベクトル連結手法の一例であり、他の方法を用いてもよい。また、上述のように損傷ベクトル同士を連結させるか否かは、ユーザの指示入力によらずに損傷情報生成部１２２が判断するようにしてもよいし、操作部１０６を介したユーザの指示入力に基づいて損傷情報生成部１２２が判断するようにしてもよい。
【０１９０】
このように本実施形態に係るコンピュータ装置１０では、空間的に（床版２の表面で）分離した損傷ベクトルを適宜連結させることにより、損傷ベクトル同士の連結関係を正確に把握することができる。
【０１９１】
＜階層構造情報の生成＞
ベクトル化部１２２Ａで損傷ベクトルが生成されると、生成した損傷ベクトルに基づいて、階層構造情報生成部１２２Ｃが階層構造情報を生成する。階層構造情報は損傷ベクトル同士の連結関係を階層的に表現した情報であり、画像情報（図２０を参照）及び損傷ベクトル情報（図２１，図２４，図２８，及び図３０を参照）により構成される。これら画像情報及び損傷ベクトル情報は、損傷ベクトル（ひび割れベクトル）の集合体であるベクトルグループを介して関連づけられている。したがって損傷の画像からベクトルグループのＩＤ（Identification）を参照して損傷ベクトルを抽出することもできるし、逆に損傷ベクトルに基づいて画像を抽出することもできる。なお、階層構造情報は損傷ベクトルが所属する階層（レベル）によらず同一の項目及び形式で生成されるので（図２１，図２４，図２８，及び図３０を参照）、ユーザは階層構造情報を容易に認識及び把握することができる。
【０１９２】
＜画像情報＞
上述した画像情報とは、損傷が撮像された撮影画像についての情報であり、損傷ベクトルのグループについて、撮影画像の識別情報（ＩＤ）及び画像データ、画像取得日時等を規定したものである。図２０は画像情報の例を示す表であり、ベクトルグループＣ１（図２２参照）について、画像のＩＤ、画像データ、取得日時、画像の幅及び高さ、チャンネル数、ビット／ピクセル、解像度が規定されている。チャンネル数はＲＧＢ（Ｒ：赤、Ｇ：緑、Ｂ：青）カラー画像なら３チャンネルであり、モノクロ画像なら１チャンネルである。なお図２０ではベクトルグループＣ１についてのみ記載しているが、ベクトルグループが複数存在する場合は、各グループについて同様の情報が生成される。
【０１９３】
＜損傷ベクトル情報＞
図２１は、損傷ベクトル情報の例である。損傷ベクトル情報は、損傷ベクトルが所属するベクトルグループの情報と、各損傷ベクトルの固有情報と、ベクトルグループ内において各損傷ベクトルに連結する他の損傷ベクトルの情報と、付加情報と、から構成される。
【０１９４】
ベクトルグループ（図２１の表の場合ベクトルグループＣ１；図２２参照）の情報はグループのＩＤを含む。損傷ベクトルの固有情報は、損傷ベクトルのＩＤ（識別情報）、階層（レベル：所属階層情報）、始点及び終点（点番号及び位置座標）、及び長さを含む。ここで階層（レベル）は、レベル１が最上位であり、数字が大きくなるほど下位の階層になる。具体的な階層の決定方法については詳細を後述する。他の損傷ベクトルの情報は、以下に説明するように親ベクトル、兄弟ベクトル、及び子ベクトルのＩＤ（識別情報）を含む。付加情報は、損傷の幅、削除操作フラグ、追加操作フラグ、点検日、及び補修情報を含む。
【０１９５】
＜親ベクトル、兄弟ベクトル、及び子ベクトル＞
本実施形態において、一の損傷ベクトルの終点が他の損傷ベクトルの始点となっている場合、そのような一の損傷ベクトルを「親ベクトル」といい、他の損傷ベクトルを「子ベクトル」という。親ベクトルは１つの損傷ベクトルについてゼロまたは１つとなるように決めるものとするが、子ベクトルは１つの親ベクトルに対しゼロ以上の任意の数だけ存在していてよい。また、親ベクトルの終点が複数の子ベクトルの始点となっている場合、それら複数の子ベクトルは互いに「兄弟ベクトル」という。兄弟ベクトルも、ゼロ以上の任意の数だけ存在していてよい。
【０１９６】
このように、本実施形態では階層構造情報に親ベクトル、兄弟ベクトル、及び子ベクトルのＩＤ（識別情報）が含まれるので、任意の損傷ベクトルに基づいて、ベクトルのＩＤを参照して親ベクトル、兄弟ベクトル、及び子ベクトルを順次特定することができる。例えば、ある損傷ベクトルの親ベクトルを特定し、その親ベクトルの親ベクトルをさらに特定することができる。このようにして本実施形態に係るコンピュータ装置１０では、損傷ベクトル同士の連結関係を容易に把握でき、また損傷ベクトルの分析及び検索を容易に行うことができる。
【０１９７】
＜付加情報（属性情報）＞
付加情報に含まれる「幅」は、各損傷ベクトルに対応するひび割れの幅を示す。削除操作フラグは削除操作が行われたベクトルであるかどうかを示し、削除操作が行われた場合は“１”、行われていない場合は“０”である。この削除操作フラグを参照して、損傷ベクトルの表示と非表示とを切り替えることができる。追加操作フラグは、損傷ベクトルの検出態様に関連しており、自動で検出されたベクトルである場合は“０”、手動で（ユーザの指示入力により）追加されたベクトルである場合は“１”、手動で追加され異なるＩＤのベクトルを接続して生成されたベクトルである場合は“２”である。
【０１９８】
「点検日」には損傷の画像を撮像した日を設定するが、操作部１０６を介したユーザの指示入力により編集することもできる。また「補修」の情報は、操作部１０６を介したユーザの指示入力（補修の種類及び補修日）に基づいて生成することができる。補修の種類は例えば、セメントで埋める、樹脂で埋める、放置（経過観察）など（図２１の表ではそれぞれＲ１，Ｒ２，Ｒ３と記載している）がある。
【０１９９】
＜損傷ベクトルの階層＞
次に、損傷ベクトルが所属する階層（レベル）について説明する。損傷ベクトルの階層は、例えば以下の例１〜４で説明するように、種々の手法で決定することができる。
【０２００】
＜階層決定手法（例１）＞
図２２は、ベクトルグループＣ１を示す図である。ベクトルグループＣ１は、損傷ベクトルＣ１−１〜Ｃ１−６により構成されており、これら損傷ベクトルは点Ｐ１〜Ｐ７を始点または終点としている。このような状況において例１では、損傷ベクトルが分岐する（ある損傷ベクトルの終点が他の複数の損傷ベクトルの始点となっている）ごとに階層が下位になるとしている。具体的には損傷ベクトルＣ１−１の階層を最も上位の“レベル１”として、損傷ベクトルＣ１−１の終点である点Ｐ２を始点とする損傷ベクトルＣ１−２及びＣ１−３の階層は、損傷ベクトルＣ１−１よりも下位である“レベル２”とする。同様に、損傷ベクトルＣ１−３の終点である点Ｐ４を始点とする損傷ベクトルＣ１−５及びＣ１−６の階層は、損傷ベクトルＣ１−３よりも下位である“レベル３”とする。一方、損傷ベクトルＣ１−２の終点である点Ｐ３は損傷ベクトルＣ１−４の始点であるが、点Ｐ３を始点とする損傷ベクトルは損傷ベクトルＣ１−４だけであり分岐はないので、損傷ベクトルＣ１−４の階層はＣ１−２と同じ“レベル２”とする。このようにして決定した各損傷ベクトルの階層は、図２１の表に示すように階層構造情報に含まれる。
【０２０１】
＜階層決定手法（例２）＞
図２３は、ベクトルグループＣ１（損傷ベクトル同士の連結関係は図２２に示すものと同一）を示す図である。例２では、連結する損傷ベクトルのうち他の損傷ベクトルとなす角度が閾値以下であるもの（木構造における「幹」に相当する損傷ベクトル）は同一の階層に属するものとしている。具体的には図２３の点線内（参照符号Ｌｖ１で示す範囲）に存在する損傷ベクトルＣ１−１，Ｃ１−２，及びＣ１−４は同一の階層である“レベル１”（最上位）とする。また、それ以外の損傷ベクトルＣ１−３，Ｃ１−５，及びＣ１−６については、例１と同様に損傷ベクトルが分岐するごとに階層が下位になるとしており、損傷ベクトルＣ１−３（木構造における「枝」に相当）を“レベル２”、損傷ベクトルＣ１−５及びＣ１−６（木構造における「葉」に相当）を“レベル３”としている。このようにして決定した各損傷ベクトルの階層及び種別（幹、枝、あるいは葉）は、図２４の表に示すように、階層構造情報に含まれる。
【０２０２】
＜階層決定手法（例２の変形例）＞
上述した階層決定手法（例２）の変形例について説明する。階層決定手法（例２）のように損傷ベクトルを木構造における幹、枝、及び葉に相当するものとして階層を決定するに際して、一般に「枝」は「幹」よりも短いと考えられるため、最長の損傷ベクトルを「幹」（レベル１）とし、その他の損傷ベクトルを「枝」または「葉」として階層を決定するようにしてもよい。この場合、例えば図２４の表に示す損傷ベクトル情報では、長さ100mmの損傷ベクトルＣ１−１が「幹」（レベル１）となる。損傷ベクトルＣ１−２及びＣ１−３は「枝」（レベル２）とし、損傷ベクトルＣ１−４は「枝」（レベル２）または「葉」（レベル３）、損傷ベクトルＣ１−５，及び６は「葉」（レベル３）とすることができる。
【０２０３】
なお、「最長の損傷ベクトル」ではなく「最長のひび割れ」を構成する損傷ベクトルを「幹」（レベル１）とし、「幹」から分岐しているひび割れに対応する損傷ベクトルを「枝」または「葉」としてもよい。この場合、「最長のひび割れ」とは「太いひび割れも細いひび割れも全て繋がった状態において、ひび割れとして最長である」ことを意味するものとする。
【０２０４】
また、損傷ベクトルの長さに加え幅（損傷ベクトルに対応する損傷の幅）をも考慮して種別（幹、枝、及び葉）及び階層を決定するようにしてもよい。例えば、「長さ×幅」が最大になる損傷ベクトルを「幹」とし、その他の損傷ベクトルを「枝」または「葉」として階層を決定するようにしてもよい。この場合、例えば図２４の表に示す損傷ベクトル情報では、「長さ×幅」が最大（100mm２）である損傷ベクトルＣ１−１が「幹」となる。損傷ベクトルＣ１−２及びＣ１−３は「枝」（レベル２）とし、損傷ベクトルＣ１−４は「枝」（レベル２）または「葉」（レベル３）、損傷ベクトルＣ１−５，及び６は「葉」（レベル３）とすることができる。
【０２０５】
上述した変形例のように損傷ベクトルの長さ、または「長さ×幅」を考慮して損傷ベクトルの階層を決定することで、階層化の精度を向上させることができる。
【０２０６】
＜階層決定手法（例３）＞
図２５〜図２７は、ベクトルグループＣ１（損傷ベクトル同士の連結関係は図２２，３２に示すものと同一）を示す図である。例３では、損傷ベクトルが生じた時間の先後を橋梁１の画像の撮影日時に基づいて判断し、損傷ベクトルが時間的に後に生じたものであるほど下位の階層に属するものとしている。図２５〜図２７の場合、最初に撮影した画像では損傷ベクトルＣ１−１を含むベクトルグループＣ１Ａが生じており（図２５）、次に撮影した画像では損傷ベクトルＣ１−２及びＣ１−３が新たに発生してベクトルグループＣ１Ｂとなり（図２６）、最後に撮影した画像ではさらに損傷ベクトルＣ１−４，Ｃ１−５，及びＣ１−６が発生してベクトルグループＣ１となった（図２７）ものとする。
【０２０７】
このような状況において例３では、最初の画像で生じている損傷ベクトルＣ１−１（図２５において参照符号Ｌｖ１で示す範囲）を最も上位の“レベル１”とし、次の画像で生じている損傷ベクトルＣ１−２及びＣ１−３（図２６において参照符号Ｌｖ２で示す範囲）を“レベル２”とし、最後の画像で生じている損傷ベクトルＣ１−４，Ｃ１−５，及びＣ１−６（図２７において参照符号Ｌｖ３で示す範囲）を“レベル３”とする。
【０２０８】
このようにして決定した各損傷ベクトルの階層は、図２８の表に示すように階層構造情報に含まれる。
【０２０９】
＜階層決定手法（例４）＞
図２９は、ひび割れＣ２Ａ及びこれに対応するベクトルグループＣ２を示す図である。例４では、一の損傷ベクトルに連結している他の損傷ベクトルが１つのみである場合、そのような他の１つの損傷ベクトルは一の損傷ベクトルと同じ階層に属するものとしている。具体的には、図２９に示すように一本の曲線状のひび割れＣ２Ａが複数のひび割れＣ２Ａ−１〜Ｃ２Ａ−４に分割されており、これらひび割れが点Ｐ８〜点Ｐ１２を始点または終点とする損傷ベクトルＣ２−１〜Ｃ２−４にそれぞれ対応している場合を考えると、損傷ベクトルＣ２−１〜Ｃ２−３の終点にはそれぞれ１つの損傷ベクトル（損傷ベクトルＣ２−２〜Ｃ２−４）しか連結していない。このような場合、例４では損傷ベクトルＣ２−１〜Ｃ２−４（図２９において参照符号Ｌｖ１で示す範囲）は実質的に１つであると考え、全て同一の階層である“レベル１”（最上位）に属するものとする。
【０２１０】
このようにして決定した各損傷ベクトルの階層は、図３０の表に示すように階層構造情報に含まれる。
【０２１１】
以上、損傷ベクトルの所属階層決定手法の例１〜４について説明したが、これらの手法は具体的な損傷の態様に応じて適宜使い分けることができ、また必要に応じて複数の手法を組み合わせて用いてもよい。例えば連結のパターンが複雑な損傷ベクトルのグループに対し、ある部分は例１を用いて階層を決定し、他の部分は例４を用いて階層を決定するようにしてもよい。このような階層手法の組合せは階層構造情報生成部１２２Ｃが判断して行うようにしてもよいし、操作部１０６を介したユーザの指示入力に基づいて行うこともできる。
【０２１２】
＜階層構造情報の項目及び形式＞
本実施形態では、図２１，図２４，図２８，及び図３０の表に示すように階層構造情報が損傷ベクトルの属する階層によらず同一の項目及び形式なので、損傷ベクトル同士の連結関係を迅速かつ容易に把握することができる。
【０２１３】
＜損傷ベクトルの抽出＞
次に、損傷ベクトルの抽出について説明する。本実施形態において、階層構造情報には損傷ベクトルが所属するベクトルグループ、損傷ベクトルのＩＤ（識別番号）、所属階層、連結する他の損傷ベクトル（親ベクトル、兄弟ベクトル、及び子ベクトル）のＩＤ等が含まれているので（図２１，図２４，図２８，及び図３０参照）、これらの項目について所望の条件を指定して損傷ベクトルを抽出することができる。指定する条件としては、例えば「損傷ベクトルが所属する階層」及び「特定のベクトルを親ベクトル、兄弟ベクトル、あるいは子ベクトルとするベクトル」を挙げることができるが、指定しうる条件はこれらの例に限定されるものではない。
【０２１４】
例えば図２１に示す損傷ベクトル情報の場合、「損傷ベクトルの階層（レベル）がレベル２」を条件として指定すると、階層構造情報の「階層（レベル）」の欄を参照して損傷ベクトルＣ１−２，Ｃ１−３，及びＣ１−４が抽出され、「損傷ベクトルＣ１−２と連結し、損傷ベクトルＣ１−２よりも上位の階層に属する損傷ベクトル」を条件として指定すると、損傷ベクトルＣ１−１（親ベクトル）が抽出される。また、「損傷ベクトルＣ１−２と連結し、損傷ベクトルＣ１−２と同じ階層に属する損傷ベクトル」を条件として指定すると、損傷ベクトルＣ１−３（兄弟ベクトル）及び損傷ベクトルＣ１−４（子ベクトル）が抽出され、「損傷ベクトルＣ１−３と連結し、損傷ベクトルＣ１−３よりも下位の階層に属する損傷ベクトル」を条件として指定すると、損傷ベクトルＣ１−５及びＣ１−６（子ベクトル）が抽出される。このような損傷ベクトルの抽出は、操作部１０６を介したユーザの指示入力に基づいて、損傷抽出部１２０が行う。
【０２１５】
このように、コンピュータ装置１０では損傷ベクトルの検索、分析、及び評価を容易に行うことができる。なお抽出した損傷ベクトルは、個々の情報及び／または線画の形式で表示することができる（後述）。
【０２１６】
＜損傷ベクトル及び階層構造情報の表示＞
階層構造情報は表示部１０４に表示される。階層構造情報の表示は、例えば図２０，図２１，図２４，図２８，及び図３０に示す表の形式で行ったり、それらの表から抽出した一部の情報により行ったりすることができる。そのような「一部の情報」の一例としては、「指定した条件で抽出した損傷ベクトルの情報」及び「点検日及び／または補修日等、特定の項目についての情報」を挙げることができる。
【０２１７】
また、階層構造情報に基づいて損傷ベクトルを示す線画を描画し、表示部１０４に表示するようにしてもよい。図２１，図２４，図２８，図３０の表に示すように、階層構造情報には損傷ベクトルの始点及び終点、並びに連結する他の損傷ベクトルの情報が含まれているので、これらの情報に基づいて損傷ベクトルを示す線画（例えば図２２，図２３，図２５〜図２７を参照）を描画し、表示することができる。損傷ベクトルを示す線画には、損傷ベクトルの向き（始点から終点へ向かう方向）が識別できるように矢印を付してもよい（図２２，図２３，図２５〜図２７を参照）。損傷ベクトルの線画を描画及び表示する場合、階層構造情報に含まれる全ての損傷ベクトルを描画及び表示してもよいし、一部の損傷ベクトル（例えば、上述のように指定された条件で抽出したもの）のみを表示するようにしてもよい。
【０２１８】
なお、損傷ベクトルを示す線画を表示する場合、階層構造情報に含まれる情報のうち特定の情報に応じて損傷ベクトルの色、太さ、及び線種（実線、点線等）等の表示条件を変えるようにしてもよい。そのような情報としては、例えば損傷ベクトルの階層（レベル）、種別（幹、枝、葉）、発生日時、削除操作フラグ、及び追加操作フラグの値等を挙げることができ、階層構造情報に含まれる項目のうちから適宜設定してよい。このように損傷ベクトルの特徴に応じた態様で表示することにより、損傷ベクトル同士の連結関係及び／または時間変化の様子を容易に把握することができる。
【０２１９】
上述した損傷ベクトルの線画と階層構造情報とは、いずれか一方を表示するようにしてもよいし、両方を同時に表示するようにしてもよい。また、上述の表示において損傷（ひび割れ）を撮像した画像（例えば図２０の表に示す画像“img_2015-001”）を損傷ベクトルの線画と重ね合わせて、あるいは並べて表示し、両者が比較できるようにしてもよい（例えば図２９を参照）。
【０２２０】
本実施形態では、このようにして損傷ベクトル及び／または階層構造情報を表示するので、損傷ベクトルの情報及び損傷ベクトル同士の連結関係を容易に把握することができる。
【０２２１】
＜損傷ベクトル及び階層構造情報の記録＞
階層構造情報はデータベース３０に記録される。記録された階層構造情報は、損傷の分析及び評価などの目的に使用することができる。なお階層構造情報から一部の情報（例えば指定した条件を満たす損傷ベクトル）を抽出した場合、そのようにして抽出した情報は全て元の階層構造情報に含まれるため、抽出結果は必ずしも記録しておかなくてもよいが、抽出結果についてもデータベース３０に記録しておくことで、必要に応じ迅速に参照することができる。
【０２２２】
＜階層構造情報の修正＞
上述のように、本実施形態では階層構造情報生成部１２２Ｃが階層構造情報を生成するが、操作部１０６を介したユーザの指示入力に基づいて、階層構造情報生成部１２２Ｃが階層構造情報を修正することができるようにしてもよい。
【０２２３】
以上説明したように、本例のコンピュータ装置１０及び情報処理方法によれば、損傷ベクトル同士の連結関係を容易に把握でき、また階層構造情報により損傷ベクトルの分析及び／または検索を容易に行うことができる。
【０２２４】
＜階層構造情報のまとめ＞
階層構造情報生成部１２２Ｃにより生成される階層構造情報は、損傷ベクトル同士の連結関係を階層的に表現した情報である。
【０２２５】
階層構造情報生成部１２２Ｃにより生成される階層構造情報は、一の損傷ベクトルが属するベクトルグループの情報と、一の損傷ベクトルと連結する他の損傷ベクトルの情報と、一の損傷ベクトルの固有情報とを含むことが好ましい。
【０２２６】
階層構造情報の例１において、階層構造情報生成部１２２Ｃは、一の損傷ベクトルに他の複数の損傷ベクトルが連結している場合、他の複数の損傷ベクトルは一の損傷ベクトルよりも下位の階層に属するものとして階層構造情報を生成する。
【０２２７】
階層構造情報の例２において、階層構造情報生成部１２２Ｃは、一の損傷ベクトルと一の損傷ベクトルに連結している他の損傷ベクトルとのなす角度が閾値以下であるときは、他の損傷ベクトルは一の損傷ベクトルと同じ階層に属するものとして階層構造情報を生成する。
【０２２８】
階層構造情報の例３において、階層構造情報生成部１２２Ｃは、一の損傷ベクトルに連結する他の損傷ベクトルが一の損傷ベクトルよりも時間的に後に生じた損傷ベクトルである場合は、他の損傷ベクトルは一の損傷ベクトルよりも下位の階層に属するものとして階層構造情報を生成する。
【０２２９】
階層構造情報の例４において、階層構造情報生成部１２２Ｃは、一の損傷ベクトルに連結している他の損傷ベクトルが１つのみである場合、他の１つの損傷ベクトルは一の損傷ベクトルと同じ階層に属するものとして階層構造情報を生成する。
【０２３０】
固有情報は、一の損傷ベクトルの識別情報と、一の損傷ベクトルが階層構造のどの階層に属するかを示す所属階層情報（「階層識別情報」ともいう）と、始点及び終点の位置と、を含む。
【０２３１】
階層構造情報生成部１２２Ｃは、損傷ベクトルの属する階層によらず同一の項目及び形式により階層構造情報を生成する。
【０２３２】
階層構造情報を利用すると類似損傷情報を容易に検索することができる。なぜなら、損傷は時系列で進行する性質を持つため一般に類似するのか否かの判定が難しいけれども、階層構造情報を利用することにより、指定した階層以上のベクトル（例えばレベル１〜２のベクトルのみ）を指定して検索することが可能になるからである。
【０２３３】
以上、本発明を実施するための形態に関して説明してきたが、本発明は上述した実施形態及び変形例に限定されず、本発明の精神を逸脱しない範囲で種々の変形が可能である。
【符号の説明】
【０２３４】
１  構造物
２  床版
３  主桁
３Ａ  接合部
１０  コンピュータ装置
２０  撮影装置
３０  データベース
１０２  外部入出力部
１０４  表示部
１０６  操作部
１０８  記憶部
１１０  ＣＰＵ
１２０  損傷抽出部
１２２  損傷情報生成部
１２２Ａ  ベクトル化部
１２２Ｂ  相対角度算出部
１２２Ｃ  階層構造情報生成部
１２２Ｄ  補正部
１２２Ｅ  相対方向情報生成部
１２２Ｆ  ベクトル連結部
１２２Ｇ  属性情報付加部
１２４  損傷解析部
１２６  データベース制御部
１２８  検索部
１３０  損傷進行速度取得部
１３２  対策判定部
１３４  健全性診断部
１３６  維持管理計画部
１５２  進行モデル生成部
１５４  進行モデル細分化部
【図１】
2017110278.tif 000003
【図２】
2017110278.tif 000004
【図３】
2017110278.tif 000005
【図４】
2017110278.tif 000006
【図５】
2017110278.tif 000007
【図６】
2017110278.tif 000008
【図７】
2017110278.tif 000009
【図８】
2017110278.tif 000010
【図９】
2017110278.tif 000011
【図１０】
2017110278.tif 000012
【図１１】
2017110278.tif 000013
【図１２】
2017110278.tif 000014
【図１３】
2017110278.tif 000015
【図１４】
2017110278.tif 000016
【図１５】
2017110278.tif 000017
【図１６】
2017110278.tif 000018
【図１７】
2017110278.tif 000019
【図１８】
2017110278.tif 000020
【図１９】
2017110278.tif 000021
【図２０】
2017110278.tif 000022
【図２１】
2017110278.tif 000023
【図２２】
2017110278.tif 000024
【図２３】
2017110278.tif 000025
【図２４】
2017110278.tif 000026
【図２５】
2017110278.tif 000027
【図２６】
2017110278.tif 000028
【図２７】
2017110278.tif 000029
【図２８】
2017110278.tif 000030
【図２９】
2017110278.tif 000031
【図３０】
2017110278.tif 000032
【手続補正書】
【提出日】平成29年4月28日(2017.4.28)
【手続補正１】
【補正対象書類名】特許請求の範囲
【補正対象項目名】全文
【補正方法】変更
【補正の内容】
【特許請求の範囲】
【請求項１】
点検対象構造物の画像から損傷を抽出する損傷抽出部と、
前記損傷をベクトル化したベクトルを含む損傷情報を生成する損傷情報生成部と、
モデル構造物の損傷状態がベクトルで表されたモデル損傷情報と損傷進行程度の評価区分である損傷度との対応関係を示す進行モデルを取得する進行モデル取得部と、
前記進行モデルに含まれるベクトルに基づいて前記点検対象構造物の前記損傷情報のうち少なくとも前記ベクトルを解析して、前記点検対象構造物の損傷状態に対応する前記点検対象構造物の損傷度を取得する損傷解析部と、
前記点検対象構造物の前記損傷度をデータベースに記憶させるデータベース制御部と、
前記点検対象構造物の点検時期が異なる複数の前記画像を元にそれぞれ取得された複数の前記損傷度を比較して、前記点検対象構造物の損傷進行速度を取得する損傷進行速度取得部と、
を備える情報処理装置。
【請求項２】
損傷進行に影響する損傷進行パラメータと、前記点検対象構造物とは別の構造物の点検結果情報とを関連付けて記憶した前記データベースから、前記損傷進行パラメータが前記点検対象構造物と同一又は類似する前記別の構造物の点検結果情報を検索する第１の検索部と、
検索された前記別の構造物の点検結果情報を用いて、前記点検対象構造物の損傷進行パラメータに対応する前記進行モデルを生成する進行モデル生成部と、
を備える請求項１に記載の情報処理装置。
【請求項３】
前記点検対象構造物の前記損傷進行パラメータは、前記点検対象構造物の自然環境に関する自然環境情報、前記点検対象構造物の利用状況に関する利用状況情報、前記点検対象構造物の構造に関する構造情報、前記点検対象構造物の材料に関する材料情報、前記点検対象構造物に付与された薬剤に関する薬剤情報、及び前記点検対象構造物の補修実績と補強実績に関する維持管理実績情報のうち少なくとも一つを含む、
請求項２に記載の情報処理装置。
【請求項４】
前記データベース制御部は、前記損傷進行速度を前記損傷情報及び前記損傷度と関連付けて前記データベースに記憶させる、
請求項１から３のうちいずれか一項に記載の情報処理装置。
【請求項５】
前記点検対象構造物の損傷情報に類似する他の損傷情報である類似損傷情報を前記データベースから検索する第２の検索部を備え、
前記損傷進行速度取得部は、前記データベースで前記類似損傷情報に関連付けて記憶された前記損傷進行速度を用いて、前記点検対象構造物の損傷進行速度を推定する、
請求項１から４のうちいずれか一項に記載の情報処理装置。
【請求項６】
前記損傷進行速度取得部は、前記点検対象構造物の最新の点検時期よりも過去の時期での前記点検対象構造物の前記損傷度が前記データベースに無い場合、前記データベースで前記類似損傷情報に関連付けられた前記損傷進行速度及び前記損傷度のうち少なくとも一方を用いて、前記点検対象構造物の最新の点検時期又は当該最新の点検時期よりも過去の時期での前記点検対象構造物の損傷進行速度を推定する、
請求項５に記載の情報処理装置。
【請求項７】
前記損傷情報生成部は、前記ベクトルの階層構造に関する階層構造情報、及び前記点検対象構造物と前記ベクトルとの方向に関する相対方向情報のうち少なくとも一つを含む前記損傷情報を生成する、
請求項１から６のうちいずれか一項に記載の情報処理装置。
【請求項８】
前記損傷情報生成部は、一の損傷ベクトルが属するベクトルグループの情報と、前記一の損傷ベクトルと連結する他の損傷ベクトルの情報と、前記一の損傷ベクトルの固有情報と、を含む前記階層構造情報を生成する、
請求項７に記載の情報処理装置。
【請求項９】
前記損傷情報生成部は、空間的に分離した複数のベクトルを連結させて１つのベクトルを生成する、
請求項１から８のうちいずれか一項に記載の情報処理装置。
【請求項１０】
点検時期が異なる複数の前記画像及び当該複数の画像から生成される前記ベクトルのうち少なくとも一方に対して補正を行うことにより、前記複数の画像からそれぞれ生成された前記ベクトルの座標位置及び方向の対応付けを行う補正部を備える、
請求項１から９のうちいずれか一項に記載の情報処理装置。
【請求項１１】
前記損傷解析部は、前記点検対象構造物の自然環境に関する自然環境情報、前記点検対象構造物の利用状況に関する利用状況情報、前記点検対象構造物の構造に関する構造情報、及び、前記点検対象構造物に付与された薬剤に関する薬剤情報、及び前記点検対象構造物の補修と補強に関する維持管理実績情報のうち少なくとも一つに基づいて前記損傷情報を解析することにより前記損傷度を取得する、
請求項１から１０のうちいずれか一項に記載の情報処理装置。
【請求項１２】
前記点検対象構造物の前記損傷情報のうち少なくとも前記ベクトルに基づいて、前記進行モデルの前記損傷状態及び前記損傷度を細分化する進行モデル細分化部を備える、
請求項１から１１のうちいずれか一項に記載の情報処理装置。
【請求項１３】
前記進行モデルは、前記モデル構造物の損傷状態のうち少なくとも一部がベクトルで表されたモデル損傷情報と前記損傷度との対応関係を示す、
請求項１から１２のうちいずれか一項に記載の情報処理装置。
【請求項１４】
前記点検対象構造物の損傷情報に基づいて取得された前記損傷度及び前記損傷進行速度に基づいて、前記点検対象構造物の損傷に対する対策を判定する対策判定部を備える、
請求項１から１３のうちいずれか一項に記載の情報処理装置。
【請求項１５】
少なくとも前記損傷進行速度と前記対策とに基づいて、前記点検対象構造物の補修及び補強のうち少なくとも一方を含む維持管理の計画情報を生成する維持管理計画部を備える、
請求項１４に記載の情報処理装置。
【請求項１６】
点検対象構造物の画像から損傷を抽出する工程と、
前記損傷をベクトル化したベクトルを含む損傷情報を生成する工程と、
モデル構造物の損傷状態がベクトルで表されたモデル損傷情報と損傷進行程度の評価区分である損傷度との対応関係を示す進行モデルを取得する工程と、
前記進行モデルに含まれるベクトルに基づいて前記点検対象構造物の前記損傷情報のうち少なくとも前記ベクトルを解析して、前記点検対象構造物の損傷状態に対応する前記点検対象構造物の損傷度を取得する工程と、
前記点検対象構造物の点検時期が異なる複数の前記画像を元にそれぞれ取得された複数の前記損傷度を比較して、前記点検対象構造物の損傷進行速度を取得する工程と、
を含む情報処理方法。
【手続補正書】
【提出日】平成29年8月31日(2017.8.31)
【手続補正１】
【補正対象書類名】特許請求の範囲
【補正対象項目名】全文
【補正方法】変更
【補正の内容】
【特許請求の範囲】
【請求項１】
点検対象構造物の画像から損傷を抽出する損傷抽出部と、
前記損傷をベクトル化したベクトルを含む損傷情報を生成する損傷情報生成部と、
モデル構造物の損傷状態がベクトルで表されたモデル損傷情報と損傷進行程度の評価区分である損傷度との対応関係を示す進行モデルを取得する進行モデル取得部と、
前記進行モデルに含まれるベクトルに基づいて前記点検対象構造物の前記損傷情報のうち少なくとも前記ベクトルを解析して、前記点検対象構造物の損傷状態に対応する前記点検対象構造物の損傷度を取得する損傷解析部と、
前記点検対象構造物の前記損傷度をデータベースに記憶させるデータベース制御部と、
前記点検対象構造物の点検時期が異なる複数の前記画像を元にそれぞれ取得された複数の前記損傷度を比較して、前記点検対象構造物の損傷進行速度を取得する損傷進行速度取得部と、を備え、
前記損傷情報生成部は、前記ベクトルの階層構造に関する階層構造情報を含む前記損傷情報を生成する情報処理装置。
【請求項２】
点検対象構造物の画像から損傷を抽出する損傷抽出部と、
前記損傷をベクトル化したベクトルを含む損傷情報を生成する損傷情報生成部と、
モデル構造物の損傷状態がベクトルで表されたモデル損傷情報と損傷進行程度の評価区分である損傷度との対応関係を示す進行モデルを取得する進行モデル取得部と、
前記進行モデルに含まれるベクトルに基づいて前記点検対象構造物の前記損傷情報のうち少なくとも前記ベクトルを解析して、前記点検対象構造物の損傷状態に対応する前記点検対象構造物の損傷度を取得する損傷解析部と、
前記点検対象構造物の前記損傷度をデータベースに記憶させるデータベース制御部と、
前記点検対象構造物の点検時期が異なる複数の前記画像を元にそれぞれ取得された複数の前記損傷度を比較して、前記点検対象構造物の損傷進行速度を取得する損傷進行速度取得部と、
損傷進行に影響する損傷進行パラメータと、前記点検対象構造物とは別の構造物の点検結果情報とを関連付けて記憶した前記データベースから、前記損傷進行パラメータが前記点検対象構造物と同一又は類似する前記別の構造物の点検結果情報を検索する第１の検索部と、
検索された前記別の構造物の点検結果情報を用いて、前記点検対象構造物の損傷進行パラメータに対応する前記進行モデルを生成する進行モデル生成部と、
を備える情報処理装置。
【請求項３】
前記点検対象構造物の前記損傷進行パラメータは、前記点検対象構造物の自然環境に関する自然環境情報、前記点検対象構造物の利用状況に関する利用状況情報、前記点検対象構造物の構造に関する構造情報、前記点検対象構造物の材料に関する材料情報、前記点検対象構造物に付与された薬剤に関する薬剤情報、及び前記点検対象構造物の補修実績と補強実績に関する維持管理実績情報のうち少なくとも一つを含む、
請求項２に記載の情報処理装置。
【請求項４】
前記データベース制御部は、前記損傷進行速度を前記損傷情報及び前記損傷度と関連付けて前記データベースに記憶させる、
請求項１から３のうちいずれか一項に記載の情報処理装置。
【請求項５】
点検対象構造物の画像から損傷を抽出する損傷抽出部と、
前記損傷をベクトル化したベクトルを含む損傷情報を生成する損傷情報生成部と、
モデル構造物の損傷状態がベクトルで表されたモデル損傷情報と損傷進行程度の評価区分である損傷度との対応関係を示す進行モデルを取得する進行モデル取得部と、
前記進行モデルに含まれるベクトルに基づいて前記点検対象構造物の前記損傷情報のうち少なくとも前記ベクトルを解析して、前記点検対象構造物の損傷状態に対応する前記点検対象構造物の損傷度を取得する損傷解析部と、
前記点検対象構造物の前記損傷度をデータベースに記憶させるデータベース制御部と、
前記点検対象構造物の点検時期が異なる複数の前記画像を元にそれぞれ取得された複数の前記損傷度を比較して、前記点検対象構造物の損傷進行速度を取得する損傷進行速度取得部と、
前記点検対象構造物の損傷情報に類似する他の損傷情報である類似損傷情報を前記データベースから検索する第２の検索部を備え、
前記損傷進行速度取得部は、前記データベースで前記類似損傷情報に関連付けて記憶された前記損傷進行速度を用いて、前記点検対象構造物の損傷進行速度を推定する情報処理装置。
【請求項６】
前記損傷進行速度取得部は、前記点検対象構造物の最新の点検時期よりも過去の時期での前記点検対象構造物の前記損傷度が前記データベースに無い場合、前記データベースで前記類似損傷情報に関連付けられた前記損傷進行速度及び前記損傷度のうち少なくとも一方を用いて、前記点検対象構造物の最新の点検時期又は当該最新の点検時期よりも過去の時期での前記点検対象構造物の損傷進行速度を推定する、
請求項５に記載の情報処理装置。
【請求項７】
前記損傷情報生成部は、前記ベクトルの階層構造に関する階層構造情報、及び前記点検対象構造物と前記ベクトルとの方向に関する相対方向情報のうち少なくとも一つを含む前記損傷情報を生成する、
請求項１から６のうちいずれか一項に記載の情報処理装置。
【請求項８】
点検対象構造物の画像から損傷を抽出する損傷抽出部と、
前記損傷をベクトル化したベクトルを含む損傷情報を生成する損傷情報生成部と、
モデル構造物の損傷状態がベクトルで表されたモデル損傷情報と損傷進行程度の評価区分である損傷度との対応関係を示す進行モデルを取得する進行モデル取得部と、
前記進行モデルに含まれるベクトルに基づいて前記点検対象構造物の前記損傷情報のうち少なくとも前記ベクトルを解析して、前記点検対象構造物の損傷状態に対応する前記点検対象構造物の損傷度を取得する損傷解析部と、
前記点検対象構造物の前記損傷度をデータベースに記憶させるデータベース制御部と、
前記点検対象構造物の点検時期が異なる複数の前記画像を元にそれぞれ取得された複数の前記損傷度を比較して、前記点検対象構造物の損傷進行速度を取得する損傷進行速度取得部と、
前記損傷情報生成部は、前記ベクトルの階層構造に関する階層構造情報、及び前記点検対象構造物と前記ベクトルとの方向に関する相対方向情報のうち少なくとも一つを含む前記損傷情報を生成し、
前記損傷情報生成部は、一の損傷ベクトルが属するベクトルグループの情報と、前記一の損傷ベクトルと連結する他の損傷ベクトルの情報と、前記一の損傷ベクトルの固有情報と、を含む前記階層構造情報を生成する情報処理装置。
【請求項９】
前記損傷情報生成部は、空間的に分離した複数のベクトルを連結させて１つのベクトルを生成する、
請求項１から８のうちいずれか一項に記載の情報処理装置。
【請求項１０】
前記階層構造情報に基づいて、点検時期が異なる複数の前記画像から生成される前記ベクトルに対して補正を行うことにより、前記複数の画像からそれぞれ生成された前記ベクトルの座標位置及び方向の対応付けを行う補正部を備える、
請求項１に記載の情報処理装置。
【請求項１１】
前記損傷解析部は、前記点検対象構造物の自然環境に関する自然環境情報、前記点検対象構造物の利用状況に関する利用状況情報、前記点検対象構造物の構造に関する構造情報、及び、前記点検対象構造物に付与された薬剤に関する薬剤情報、及び前記点検対象構造物の補修と補強に関する維持管理実績情報のうち少なくとも一つに基づいて前記損傷情報を解析することにより前記損傷度を取得する、
請求項１から１０のうちいずれか一項に記載の情報処理装置。
【請求項１２】
前記点検対象構造物の前記損傷情報のうち少なくとも前記ベクトルに基づいて、前記進行モデルの前記損傷状態及び前記損傷度を細分化する進行モデル細分化部を備える、
請求項１から１１のうちいずれか一項に記載の情報処理装置。
【請求項１３】
前記進行モデルは、前記モデル構造物の損傷状態のうち少なくとも一部がベクトルで表されたモデル損傷情報と前記損傷度との対応関係を示す、
請求項１から１２のうちいずれか一項に記載の情報処理装置。
【請求項１４】
前記点検対象構造物の損傷情報に基づいて取得された前記損傷度及び前記損傷進行速度に基づいて、前記点検対象構造物の損傷に対する対策を判定する対策判定部を備える、
請求項１から１３のうちいずれか一項に記載の情報処理装置。
【請求項１５】
少なくとも前記損傷進行速度と前記対策とに基づいて、前記点検対象構造物の補修及び補強のうち少なくとも一方を含む維持管理の計画情報を生成する維持管理計画部を備える、
請求項１４に記載の情報処理装置。
【請求項１６】
点検対象構造物の画像から損傷を抽出する工程と、
前記損傷をベクトル化したベクトルを含む損傷情報を生成する工程と、
モデル構造物の損傷状態がベクトルで表されたモデル損傷情報と損傷進行程度の評価区分である損傷度との対応関係を示す進行モデルを取得する工程と、
前記進行モデルに含まれるベクトルに基づいて前記点検対象構造物の前記損傷情報のうち少なくとも前記ベクトルを解析して、前記点検対象構造物の損傷状態に対応する前記点検対象構造物の損傷度を取得する工程と、
前記点検対象構造物の点検時期が異なる複数の前記画像を元にそれぞれ取得された複数の前記損傷度を比較して、前記点検対象構造物の損傷進行速度を取得する工程と、
前記ベクトルの階層構造に関する階層構造情報を含む前記損傷情報を生成する工程と、
を含む情報処理方法。
【国際調査報告】
2017110278.tif 000033
2017110278.tif 000034
2017110278.tif 000035
2017110278.tif 000036